(57)【特許請求の範囲】
【請求項１】
マシンツーマシン（Ｍ２Ｍ）ワイヤレスワイドエリアネットワーク（ＷＡＮ）におけるワイヤレス通信のための方法であって、
トラフィックスロットマップを生成することと、ここにおいて、前記トラフィックスロットマップは、データがその間に第１のデータレートで送信されるトラフィックチャネルサイクル内のトラフィックスロットの第１の数、データがその間に第２のデータレートで送信される前記トラフィックチャネルサイクル内のトラフィックスロットの第２の数、および１つまたは複数のハッシングパラメータを示し、前記第２のデータレートは、前記第１のデータレートとは異なり、前記トラフィックスロットマップは、１つまたは複数のＭ２Ｍデバイスの各々によって、前記１つまたは複数のＭ２Ｍデバイスの前記各々に宛てられたデータを有する前記トラフィックチャネルサイクル内の少なくとも１つのタイムスロットを識別するために使用され、前記トラフィックチャネルサイクルは、複数の順方向リンクフレームを含み、前記複数の順方向リンクフレームの各々は１つまたは複数のタイムスロットを含み、前記トラフィックスロットは前記１つまたは複数のタイムスロットのうちの１つである、
前記１つまたは複数のＭ２Ｍデバイスに前記トラフィックチャネルサイクルの最初にある第１の順方向リンクフレーム中で前記トラフィックスロットマップをブロードキャストすることと
を備える、方法。
【請求項２】
前記トラフィックスロットマップをブロードキャストすることは、
前記第１の順方向リンクフレームのトラフィックスロットのトラフィックチャネル中に前記トラフィックスロットマップを挿入することと、
前記第１の順方向リンクフレームの前記トラフィックスロット中に前記トラフィックスロットマップをブロードキャストすることと
を備える、請求項１に記載の方法。
【請求項３】
第１のタイムスロット中、および第２のタイムスロット中に送信すること、ここにおいて、前記第１のタイムスロット中、第１のデータが前記第１のデータレートで基地局から１つまたは複数のＭ２Ｍデバイスに送信され、前記第２のタイムスロット中、第２のデータが前記第２のデータレートで前記基地局から１つまたは複数のＭ２Ｍデバイスに送信される、
をさらに備える、請求項２に記載の方法。
【請求項４】
前記トラフィックスロットマップをブロードキャストすることは、
前記第１のデータおよび前記第２のデータの送信が行われる前に前記トラフィックスロットマップをブロードキャストすること
を備える、請求項３に記載の方法。
【請求項５】
前記第１の順方向リンクフレームの前記トラフィックスロットは、前記第１または第２のタイムスロットを備える、請求項３に記載の方法。
【請求項６】
前記第１の順方向リンクフレームの送信の後に第２の順方向リンクフレームを送信すること、ここにおいて、前記第２の順方向リンクフレームはトラフィックスロットを備え、前記トラフィックスロットは前記第１または第２のタイムスロットを備える、
をさらに備える、請求項３に記載の方法。
【請求項７】
前記トラフィックチャネルサイクルは、順方向リンク通信のための第１の時間割振りと、逆方向リンク通信のための第２の時間割振りとを備える、請求項２に記載の方法。
【請求項８】
前記第１のデータを送信することは、
前記第１の順方向リンクフレームの前記第１のタイムスロット中にポインタを送信することと、ここにおいて、前記ポインタは追加の順方向リンクフレームの追加のタイムスロットを識別する、
前記追加のタイムスロット中に前記第１のデータの少なくとも一部分を送信することと、ここにおいて、前記第１のデータの前記一部分は前記第１のデータレートで送信される、
を備える、請求項３に記載の方法。
【請求項９】
前記トラフィックスロットマップは、前記第１のデータレートでトラフィックデータを受信することを予想しているＭ２Ｍデバイスの第１の数と、前記第２のデータレートでトラフィックデータを受信することを予想しているＭ２Ｍデバイスの第２の数とを識別し、前記トラフィックデータは、物理レイヤにおいて送信される、請求項１に記載の方法。
【請求項１０】
第１のＭ２Ｍデバイスのための前記第１のタイムスロットを識別するために第１のハッシング関数を使用することと、
第２のＭ２Ｍデバイスのための前記第２のタイムスロットを識別するために第２のハッシング関数を使用することと
をさらに備える、請求項３に記載の方法。
【請求項１１】
前記第１および第２のタイムスロットは、１つまたは複数の順方向リンクフレーム内の１つまたは複数のトラフィックスロットを備える、請求項３に記載の方法。
【請求項１２】
マシンツーマシン（Ｍ２Ｍ）ワイヤレスワイドエリアネットワーク（ＷＡＮ）におけるワイヤレス通信のために構成された装置であって、
トラフィックスロットマップを生成するための手段と、ここにおいて、前記トラフィックスロットマップは、データがその間に第１のデータレートで送信されるトラフィックチャネルサイクル内のトラフィックスロットの第１の数、データがその間に第２のデータレートで送信される前記トラフィックチャネルサイクル内のトラフィックスロットの第２の数、および１つまたは複数のハッシングパラメータを示し、前記第２のデータレートは、前記第１のデータレートとは異なり、前記トラフィックスロットマップは、１つまたは複数のＭ２Ｍデバイスの各々によって、前記１つまたは複数のＭ２Ｍデバイスの前記各々に宛てられたデータを有する前記トラフィックチャネルサイクル内の少なくとも１つのタイムスロットを識別するために使用され、前記トラフィックチャネルサイクルは、複数の順方向リンクフレームを含み、前記複数の順方向リンクフレームの各々は１つまたは複数のタイムスロットを含み、前記トラフィックスロットは前記１つまたは複数のタイムスロットのうちの１つである、
前記１つまたは複数のＭ２Ｍデバイスに前記トラフィックチャネルサイクルの最初にある第１の順方向リンクフレーム中で前記トラフィックスロットマップをブロードキャストするための手段と
を備える、装置。
【請求項１３】
マシンツーマシン（Ｍ２Ｍ）ワイヤレスワイドエリアネットワーク（ＷＡＮ）におけるワイヤレス通信のための方法であって、
Ｍ２Ｍデバイスにおいて、トラフィックチャネルサイクルの最初にある第１の順方向リンクフレーム内の第１のトラフィックスロット中にトラフィックスロットマップを受信することと、ここにおいて、前記トラフィックスロットマップは、データがその間に第１のデータレートで送信される前記トラフィックチャネルサイクル内のトラフィックスロットの第１の数、データがその間に第２のデータレートで送信される前記トラフィックチャネルサイクル内のトラフィックスロットの第２の数、および１つまたは複数のハッシングパラメータを示し、前記第２のデータレートは、前記第１のデータレートとは異なり、前記トラフィックチャネルサイクルは、複数の順方向リンクフレームを含み、前記複数の順方向リンクフレームの各々は１つまたは複数のタイムスロットを含み、前記トラフィックスロットは前記１つまたは複数のタイムスロットのうちの１つである、
前記Ｍ２Ｍデバイスに宛てられたデータを有する前記トラフィックチャネルサイクル内の少なくとも１つのタイムスロットを識別するために前記トラフィックスロットマップを使用することと、
前記少なくとも１つのタイムスロットまでスリープ状態に入ることと、
前記少なくとも１つのタイムスロット中に前記データを受信するためにアウェイクモードに入ることと
を備える、方法。
【請求項１４】
マシンツーマシン（Ｍ２Ｍ）ワイヤレスワイドエリアネットワーク（ＷＡＮ）におけるワイヤレス通信のために構成された装置であって、
Ｍ２Ｍデバイスにおいて、トラフィックチャネルサイクルの最初にある第１の順方向リンクフレーム内の第１のトラフィックスロット中にトラフィックスロットマップを受信するための手段と、ここにおいて、前記トラフィックスロットマップは、データがその間に第１のデータレートで送信される前記トラフィックチャネルサイクル内のトラフィックスロットの第１の数、データがその間に第２のデータレートで送信される前記トラフィックチャネルサイクル内のトラフィックスロットの第２の数、および１つまたは複数のハッシングパラメータを示し、前記第２のデータレートは、前記第１のデータレートとは異なり、前記トラフィックチャネルサイクルは、複数の順方向リンクフレームを含み、前記複数の順方向リンクフレームの各々は１つまたは複数のタイムスロットを含み、前記トラフィックスロットは前記１つまたは複数のタイムスロットのうちの１つである、
前記Ｍ２Ｍデバイスに宛てられたデータを有する前記トラフィックチャネルサイクル内の少なくとも１つのタイムスロットを識別するために前記トラフィックスロットマップを使用するための手段と、
前記少なくとも１つのタイムスロットまでスリープ状態に入るための手段と、
前記少なくとも１つのタイムスロット中に前記データを受信するためにアウェイクモードに入るための手段と
を備える、装置。
【請求項１５】
請求項１から１１までのいずれか一項に記載の方法を行うためにプロセッサによって実行可能な命令を記憶するコンピュータ可読記憶媒体。
【請求項１６】
請求項１３に記載の方法を行うためにプロセッサによって実行可能な命令を記憶するコンピュータ可読記憶媒体。
【発明の詳細な説明】
【技術分野】
【０００１】
[0001]以下は、一般にワイヤレス通信に関し、より詳細には、マシンツーマシン（Ｍ２Ｍ：machine-to-machine）ワイヤレスワイドエリアネットワーク（ＷＡＮ：wide area network）における通信に関する。ワイヤレス通信システムは、音声、ビデオ、パケットデータ、メッセージング、ブロードキャスト、センサデータ、追跡データなど、様々なタイプの通信コンテンツを提供するために広く展開されている。これらのシステムは、利用可能なシステムリソース（たとえば、時間、周波数、および電力）を共有することによってマルチプルなユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【背景技術】
【０００２】
[0002]概して、ワイヤレス多元接続通信システムは、各々がマルチプルなデバイスのための通信を同時にサポートする、いくつかの基地局を含み得る。いくつかの例では、これらのデバイスは、データを収集し、基地局を介してこのデータをエンドサーバに送信するように構成されたセンサおよび／またはメータであり得る。これらのセンサおよび／またはメータはＭ２Ｍデバイスと呼ばれることがある。基地局は、順方向リンクおよび逆方向リンク上でＭ２Ｍデバイスと通信し得る。各基地局は、セルのカバレージエリアと呼ばれることがあるカバレージ範囲を有する。Ｍ２Ｍデバイスは、逆方向リンク上で基地局にデータを送信し得る。
【０００３】
[0003]基地局は、１つまたは複数の順方向リンクフレームのトラフィックスロット中にトラフィックサイクルに従ってＭ２Ｍデバイスにデータを送信し得る。２つ以上のＭ２Ｍデバイスに宛てられたデータが同じトラフィックスロット中で送信され得る。従来の通信システムでは、Ｍ２Ｍデバイスが共有トラフィックチャネル中のデータを予想しているとき、デバイスは、デバイスがそれのデータを見つけるまで、各トラフィックスロット中で送信されるデータを読み取るために起動することになる。この従来の手法は、Ｍ２Ｍデバイスの電力の非効率的な使用法である。
【発明の概要】
【０００４】
[0004]説明する特徴は、概して、Ｍ２Ｍワイヤレスワイドエリアネットワーク（ＷＡＮ）において通信しているＭ２Ｍデバイスの電力使用を最小限に抑えるための１つまたは複数の改善されたシステム、方法、および／または装置に関する。トラフィックデータが異なる順方向リンクフレーム中に様々なＭ２Ｍデバイスに送信されるサイクルの最初に、トラフィックスロットマップ（traffic slot map）が生成される。トラフィックスロットマップは、サイクル中にトラフィックデータを受信することを予想している各Ｍ２Ｍデバイスにブロードキャストされる。マップは、サイクルの第１の順方向リンクフレームのトラフィックスロットの少なくとも一部分中にブロードキャストされ得る。一実施形態では、トラフィックスロットマップは、サイクル中に、データがその間に第１のデータレート、第２のデータレートなどで送信される、トラフィックスロットの数を識別し得る。さらに、マップは、各特定のデータレートでそれらのデータを受信することを予想するＭ２Ｍデバイスの数を示し得る。このマップを使用して、サイクル中にデータを受信することを予想している各Ｍ２Ｍデバイスは、それらのデータがサイクル中にいつ送信されるか（たとえば、どのトラフィックスロットおよびフレームか）を推定し得る。デバイスは、それらのデータが基地局から送信されることが予想される推定時間が来るまで、スリープ状態に戻り（その状態にとどまり）得る。Ｍ２Ｍデバイスがサイクル中にアウェイクモード（awake mode）にある時間の量を最小限に抑えることによって、Ｍ２Ｍデバイスの電力および他のリソースが節約され得る。
【０００５】
[0005]Ｍ２ＭワイヤレスＷＡＮにおいてワイヤレス通信を管理するための方法、システム、およびデバイスについて説明する。トラフィックスロットマップが生成される。トラフィックスロットマップは、１つまたは複数の第１のタイムスロットと、１つまたは複数の第２のタイムスロットとを識別する。第１のデータが第１のデータレートで１つまたは複数の第１のタイムスロット中に送信される。第２のデータが第２のデータレートで１つまたは複数の第２のタイムスロット中に送信される。トラフィックスロットマップは、トラフィックチャネルサイクルの最初にある第１の順方向リンクフレームのトラフィックスロット中に１つまたは複数のＭ２Ｍデバイスにブロードキャストされる。
【０００６】
[0006]一構成では、トラフィックスロットマップをブロードキャストすることは、第１の順方向リンクフレームのトラフィックスロットのトラフィックチャネル中にトラフィックスロットマップを挿入することを含み得る。第１の順方向リンクフレームはトラフィックサイクルの最初にあり得る。トラフィックスロットマップは、第１の順方向リンクフレームのトラフィックスロット中にブロードキャストされ得る。一例では、トラフィックスロットマップは物理レイヤにおいてブロードキャストされ得る。トラフィックスロットマップは第２のタイムスロットを識別し得る。第２のタイムスロット中に、第２のデータが第２のデータレートで基地局から１つまたは複数のＭ２Ｍデバイスの第２のグループに送信され得る。
【０００７】
[0007]一実施形態では、トラフィックスロットマップをブロードキャストすることはまた、第１のデータおよび第２のデータの送信が行われる前にトラフィックスロットマップをブロードキャストすることを含み得る。第１の順方向リンクフレームのトラフィックスロットは第１または第２のタイムスロットを含み得る。
【０００８】
[0008]一例では、第２の順方向リンクフレームは、第１の順方向リンクフレームの送信の後に送信され得る。第２の順方向リンクフレームはトラフィックスロットを含み得る。トラフィックスロットは第１または第２のタイムスロットを含み得る。
【０００９】
[0009]一構成では、トラフィックチャネルサイクルは、順方向リンク通信のための第１の時間割振りを含み得る。トラフィックチャネルサイクルは、逆方向リンク通信のための第２の時間割振りをも含み得る。
【００１０】
[0010]第１のデータを送信することは、第１の順方向リンクフレームの第１のタイムスロット中にポインタを送信することを含み得る。ポインタは、追加の順方向リンクフレームの追加のタイムスロットを識別し得る。第１のデータの少なくとも一部分は追加のタイムスロット中に送信され得る。一実施形態では、第１のデータの一部分は第１のデータレートで送信され得る。
【００１１】
[0011]一実施形態では、トラフィックスロットマップは、第１のデータレートで第１のデータを受信することを予想しているＭ２Ｍデバイスの第１の数と、第２のデータレートで第２のデータを受信することを予想しているＭ２Ｍデバイスの第２の数とを識別し得る。第１および第２のデータは物理レイヤにおいて送信され得る。
【００１２】
[0012]一構成では、第１のＭ２Ｍデバイスのための第１のタイムスロットを識別するために第１のハッシング関数（hashing function）が使用され得る。第２のＭ２Ｍデバイスのための第２のタイムスロットを識別するために第２のハッシング関数が使用され得る。第１のデータレートは第２のデータレートとは異なり得る。第１および第２のタイムスロットは、１つまたは複数の順方向リンクフレーム中の１つまたは複数のトラフィックスロットであり得る。
【００１３】
[0013]Ｍ２ＭワイヤレスＷＡＮにおけるワイヤレス通信のために構成された基地局についても説明する。基地局は、プロセッサと、プロセッサと電子通信しているメモリとを含む。命令がメモリに記憶され得る。命令は、トラフィックスロットマップを生成するためにプロセッサによって実行可能であり得る。トラフィックスロットマップは、１つまたは複数の第１のタイムスロットと、１つまたは複数の第２のタイムスロットとを識別し得る。１つまたは複数の第１のタイムスロット中に、第１のデータが第１のデータレートで基地局から１つまたは複数のＭ２Ｍデバイスに送信され得る。１つまたは複数の第２のタイムスロット中に、第２のデータが第２のデータレートで基地局から１つまたは複数のＭ２Ｍデバイスに送信され得る。トラフィックスロットマップは複数のＭ２Ｍデバイスにブロードキャストされ得る。
【００１４】
[0014]Ｍ２ＭワイヤレスＷＡＮにおけるワイヤレス通信のために構成された装置についても説明する。本装置は、トラフィックスロットマップを生成するための手段を含み得る。トラフィックスロットマップは、１つまたは複数の第１のタイムスロットと、１つまたは複数の第２のタイムスロットとを識別し得る。１つまたは複数の第１のタイムスロット中に、第１のデータが第１のデータレートで基地局から１つまたは複数のＭ２Ｍデバイスに送信され得る。１つまたは複数の第２のタイムスロット中に、第２のデータが第２のデータレートで基地局から１つまたは複数のＭ２Ｍデバイスに送信され得る。本装置は、複数のＭ２Ｍデバイスにトラフィックスロットマップをブロードキャストするための手段をさらに含み得る。
【００１５】
[0015]Ｍ２ＭワイヤレスＷＡＮにおいてワイヤレス通信を管理するためのコンピュータプログラム製品についても説明する。本コンピュータプログラム製品は、トラフィックスロットマップを生成するためにプロセッサによって実行可能な命令を記憶する非一時的コンピュータ可読媒体を含み得る。トラフィックスロットマップは、１つまたは複数の第１のタイムスロットと、１つまたは複数の第２のタイムスロットとを識別し得る。１つまたは複数の第１のタイムスロット中に、第１のデータが第１のデータレートで基地局から１つまたは複数のＭ２Ｍデバイスに送信され得る。１つまたは複数の第２のタイムスロット中に、第２のデータが第２のデータレートで基地局から１つまたは複数のＭ２Ｍデバイスに送信され得る。命令はまた、複数のＭ２Ｍデバイスにトラフィックスロットマップをブロードキャストするためにプロセッサによって実行可能であり得る。
【００１６】
[0016]Ｍ２ＭワイヤレスＷＡＮにおけるワイヤレス通信のための追加の方法についても説明する。トラフィックチャネルサイクルの最初にある第１の順方向リンクフレーム内の第１のトラフィックスロット中にトラフィックスロットマップが受信され得る。トラフィックスロットマップは、第２の順方向リンクフレーム内の第２のトラフィックスロットを識別するために分析され得る。トラフィックデータは第２のトラフィックスロット中に送信され得る。第２のトラフィックスロットまでスリープ状態に入り得る。第２のトラフィックスロット中にトラフィックデータを受信するためにアウェイクモードに入り得る。
【００１７】
[0017]一実施形態では、トラフィックスロットマップを分析することは、第１のデータレートでトラフィックデータを受信することを予想しているＭ２Ｍデバイスの数を決定することと、第２のデータレートでトラフィックデータを受信することを予想しているＭ２Ｍデバイスの数を決定することとを含み得る。第２のデータレートは第１のデータレートとは異なり得る。さらに、トラフィックスロットマップを分析することは、トラフィックデータがその間に第１のデータレートで送信されるトラフィックスロットの数を決定するために第１のハッシング関数を使用することと、トラフィックデータがその間に第２のデータレートで送信されるトラフィックスロットの数を決定するために第２のハッシング関数を使用することとを含み得る。一構成では、トラフィックデータを受信することは、第２のトラフィックスロット中に送信されたトラフィックデータを識別するためにデバイス識別子を使用することを含み得る。
【００１８】
[0018]説明する方法および装置の適用性のさらなる範囲は、以下の詳細な説明、特許請求の範囲、および図面から明らかになろう。当業者には本記載の趣旨および範囲内の様々な変更および改変が明らかになるので、詳細な説明および具体例は、例示として与えられるものにすぎない。
【００１９】
[0019]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２０】
【図１】[0020]ワイヤレス通信システムのブロック図。
【図２】[0021]Ｍ２Ｍ通信を実装するワイヤレスワイドエリアネットワーク（ＷＡＮ）を含むワイヤレス通信システムの一例を示す図。
【図３Ａ】[0022]ページングシステムの一実施形態を示すブロック図。
【図３Ｂ】[0023]ワイヤレス通信システムの一実施形態を示すブロック図。
【図４Ａ】[0024]様々な実施形態による順方向リンク通信を管理するためのデバイスを示すブロック図。
【図４Ｂ】[0025]順方向リンク通信モジュールの一実施形態を示すブロック図。
【図５Ａ】[0026]様々な実施形態による逆方向リンク通信を管理するためのデバイスを示すブロック図。
【図５Ｂ】[0027]逆方向リンク通信モジュールの一実施形態を示すブロック図。
【図６】[0028]様々な実施形態による順方向リンク通信を管理するためのデバイスを示すブロック図。
【図７】[0029]様々な実施形態による、トラフィックスロットマップを作成し、トラフィックスロットマップをＭ２Ｍデバイスにブロードキャストするように構成され得る通信システムのブロック図。
【図８】[0030]様々な実施形態による逆方向リンク通信を管理するためのデバイスを示すブロック図。
【図９】[0031]様々な実施形態による電力の消費を管理するためのＭ２Ｍデバイスのブロック図。
【図１０Ａ】[0032]様々なシステムおよび方法によるトラフィックチャネルサイクルの一実施形態を示すブロック図。
【図１０Ｂ】[0033]様々なシステムおよび方法によるトラフィックチャネルサイクルの別の実施形態を示すブロック図。
【図１１】[0034]様々な実施形態によるスロットマップの一例を示すブロック図。
【図１２】[0035]トラフィックデータが各Ｍ２Ｍデバイスにいつ送信されるかを識別するトラフィックスロットマップを使用して順方向リンク通信を管理することによってＭ２Ｍデバイスの電力を節約するための方法の一例を示すフローチャート。
【図１３】[0036]トラフィックチャネルサイクルの最初にトラフィックスロットマップをブロードキャストすることによってＭ２Ｍデバイスの電力を節約するための方法の一例を示すフローチャート。
【図１４】[0037]トラフィックチャネルサイクル中にデータパケットがいつ送信されるかを示すポインタを送信するための方法の一例を示すフローチャート。
【図１５】[0038]トラフィックチャネルサイクル中にトラフィックデータが送信されるまでスリープ状態にとどまることによってＭ２Ｍデバイスの電源を管理するための方法の一例を示すフローチャート。
【詳細な説明】
【００２１】
[0039]トラフィックチャネルサイクル中のＭ２Ｍデバイスの起動時間（wake-up time）を最小限に抑えるための方法、システム、およびデバイスについて説明する。一実施形態では、データが物理レイヤにおいてトラフィックチャネルサイクル中に基地局からＭ２Ｍデバイスに順方向リンク上で送信され得る。サイクルの一部分は順方向リンク通信に割り振られ得、残りの部分は、Ｍ２Ｍデバイスから基地局への逆方向リンク通信に割り振られ得る。データは、順方向リンクフレームのトラフィックスロット中に順方向リンク上で送信され得る。トラフィックチャネルサイクル中、データは、マルチプルな順方向リンクフレームのマルチプルなトラフィックスロット中に送信され得る。従来、デバイスは、それのデータを受信するためにサイクルの持続時間の間アウェイクモードにとどまり得る。その結果、デバイスは、デバイスに宛てられたデータを含まないフレームの多数のトラフィックスロット中に起動していることがある。これは、デバイスに電力および他のリソースを浪費させ得る。
【００２２】
[0040]本システム、方法、およびデバイスは、デバイスがトラフィックチャネルサイクル中にアウェイクモードにある時間の量を最小限に抑えることによって、Ｍ２Ｍデバイスのリソースおよび電力を節約し得る。一例では、基地局は、トラフィックチャネルサイクルの最初にある順方向リンクフレームのトラフィックスロットの少なくとも一部分中にトラフィックスロットマップをブロードキャストし得る。サイクル中にデータを受信することを予想している各Ｍ２Ｍデバイスは、第１の順方向リンクフレームのトラフィックスロットを監視するために起動し得る。ブロードキャストされたトラフィックスロットマップを受信すると、各Ｍ２Ｍデバイスは、マップを使用して、サイクル中にそれらのデータがいつ送信されるかを推定し得る。サイクル中にそれのデータがいつ送信されるかを推定した後に、Ｍ２Ｍデバイスは、それのデータが送信されることが予想される推定時間が来るまでスリープ状態に戻り得る。Ｍ２Ｍデバイスが、デバイスのためのデータを含まないトラフィックスロット中にスリープ状態にとどまることを可能にすることによって、Ｍ２Ｍデバイスの電力が節約され得る。一実施形態では、トラフィックスロットマップは新しいトラフィックチャネルサイクルごとに変わり得る。さらに、特定のトラフィックスロット中にそれらのデータを受信するＭ２Ｍデバイスの識別情報は、次のサイクル中に変わり得る。その結果、トラフィックチャネルサイクルごとにＭ２Ｍデバイスのアドホックグループが形成され得る。
【００２３】
[0041]以下の説明は、例を与えるものであり、特許請求の範囲において記載された範囲、適用性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２４】
[0042]最初に図１を参照すると、ブロック図に、ワイヤレス通信システム１００の一例が示されている。システム１００は、基地局１０５（またはセル）と、マシンツーマシン（Ｍ２Ｍ）デバイス１１５と、基地局コントローラ１２０と、コアネットワーク１３０とを含む（コントローラ１２０はコアネットワーク１３０に組み込まれ得る）。システム１００は、マルチプルなキャリア（異なる周波数の波形信号）上での動作をサポートし得る。
【００２５】
[0043]基地局１０５は、基地局アンテナ（図示せず）を介してＭ２Ｍデバイス１１５とワイヤレス通信し得る。基地局１０５は、複数のキャリアを介して基地局コントローラ１２０の制御下でＭ２Ｍデバイス１１５と通信し得る。基地局１０５サイトの各々は、それぞれの地理的エリアに通信カバレージを与え得る。ここでは、各基地局１０５のためのカバレージエリアは１１０−ａ、１１０−ｂ、または１１０−ｃとして識別される。基地局のためのカバレージエリアは、セクタ（図示しないが、カバレージエリアの一部分のみを構成する）に分割され得る。システム１００は、異なるタイプの基地局１０５（たとえば、マクロ基地局、ピコ基地局、および／またはフェムト基地局）を含み得る。マクロ基地局は比較的大きい地理的エリア（たとえば、半径３５ｋｍ）に通信カバレージを与え得る。ピコ基地局は比較的小さい地理的エリア（たとえば、半径１０ｋｍ）にカバレージを与え得、フェムト基地局は比較的より小さい地理的エリア（たとえば、半径１ｋｍ）に通信カバレージを与え得る。異なる技術について重複するカバレージエリアがあり得る。
【００２６】
[0044]Ｍ２Ｍデバイス１１５はカバレージエリア１１０全体にわたって分散され得る。各Ｍ２Ｍデバイス１１５は固定式または移動式であり得る。一構成では、Ｍ２Ｍデバイス１１５は、限定はしないが、マクロ基地局、ピコ基地局、およびフェムト基地局など、異なるタイプの基地局と通信することが可能であり得る。Ｍ２Ｍデバイス１１５は、他のデバイス、環境条件などを監視および／または追跡するセンサおよび／またはメータであり得る。Ｍ２Ｍデバイス１１５によって収集された情報は、基地局１０５を含むネットワーク上でサーバなどのバックエンドシステムに送信され得る。Ｍ２Ｍデバイス１１５への／からのデータの送信は、基地局１０５を通してルーティングされ得る。基地局１０５は順方向リンク上でＭ２Ｍデバイスと通信し得る。一構成では、基地局１０５は、Ｍ２Ｍデバイス１１５にデータおよび／またはメッセージを搬送するためのチャネルを含むいくつかのタイムスロットをもつ順方向リンクフレームを生成し得る。一例では、各順方向リンクフレームは、３つ以下のタイムスロットと１つまたは複数の対応するチャネルとを含み得る。これらのスロットおよびチャネルは、ページングチャネルをもつページングスロットと、ＡＣＫチャネルをもつＡＣＫスロットと、トラフィックチャネルをもつトラフィックスロットとを含み得る。個々のフレームの長さは短くなり得る（たとえば、２０ミリ秒（ｍｓ））。一実施形態では、４つのフレームが接合されて、８０ｍｓの持続時間をもつより大きいフレームが形成され得る。より大きいフレーム中に含まれる各フレームは、ページングチャネルのためのページングスロット、ＡＣＫチャネルのためのＡＣＫスロット、およびトラフィックチャネルのためのトラフィックスロットなど、３つ以下のタイムスロットおよびチャネルを含み得る。各フレームのページングスロットとＡＣＫスロットはそれぞれ５ｍｓの長さを有し得、各フレームのトラフィックスロットは１０ｍｓの長さを有し得る。Ｍ２Ｍデバイス１１５は、そのＭ２Ｍデバイス１１５に宛てられたそれのチャネル上にデータおよび／またはメッセージを含む（より大きいフレーム内の）個々のフレーム中に起動し得る。
【００２７】
[0045]一構成では、基地局１０５は、トラフィックチャネルサイクルに従ってＭ２Ｍデバイス１１５にデータを送信し得る。トラフィックチャネルサイクルは、順方向リンクフレームの１つまたは複数のトラフィックスロット中にトラフィックデータが１つまたは複数のＭ２Ｍデバイス１１５に送信される、時間期間であり得る。各Ｍ２Ｍデバイス１１５は、それのトラフィックチャネルサイクルがいつ開始するかを知っていることがある。サイクルの最初に、Ｍ２Ｍデバイス１１５は、サイクルの第１の順方向リンクフレームのトラフィックスロット中に起動し得る。トラフィックスロットはスロットマップを含み得る。マップは、サイクル中にデータがいつＭ２Ｍデバイス１１５に送信されるかを示し得る。マップ中に含まれる情報は、スロットマップを受信するために起動するＭ２Ｍデバイス１１５ごとにハッシングされ得る。第１のフレームのトラフィックスロット中にマップを受信した後に、デバイス１１５は、スロットマップ中で示されたトラフィックスロット中にデータが送信されるまで、スリープ状態に戻り得る。その結果、各Ｍ２Ｍデバイス１１５は、スロットマップを受信するために起動し、次いで、スロットマップによって識別されたトラフィックスロット中にそれのトラフィックデータが送信されるまで、スリープ状態に戻り得る。
【００２８】
[0046]一実施形態では、Ｍ２Ｍデバイス１１５は他のデバイスに組み込まれ得るか、またはＭ２Ｍデバイス１１５はスタンドアロンデバイスであり得る。たとえば、セルラーフォンおよびワイヤレス通信デバイス、携帯情報端末（ＰＤＡ）、他のハンドヘルドデバイス、ネットブック、ノートブックコンピュータ、監視カメラ、ハンドル付き医療用走査デバイス、家庭用電気器具などのデバイスが、１つまたは複数のＭ２Ｍデバイス１１５を含み得る。
【００２９】
[0047]一例では、ネットワークコントローラ１２０は、基地局のセットに結合され、これらの基地局１０５の調整および制御を行い得る。コントローラ１２０は、バックホール（たとえば、コアネットワーク１２５）を介して基地局１０５と通信し得る。基地局１０５はまた、直接もしくは間接的におよび／またはワイヤレスバックホールもしくはワイヤラインバックホールを介して互いに通信し得る。
【００３０】
[0048]図２に、一態様による、Ｍ２Ｍサービスを実装するワイヤレスワイドエリアネットワーク（ＷＡＮ）２０５を含むワイヤレス通信システム２００の一例を示す。システム２００は、いくつかのＭ２Ｍデバイス１１５−ａと、Ｍ２Ｍサーバ２１０とを含み得る。サーバ２１０とＭ２Ｍデバイス１１５との間の通信は、ＷＡＮ２０５の一部と見なされ得る基地局１０５を通じてルーティングされ得る。基地局１０５−ａは、図１に示された基地局の一例であり得る。Ｍ２Ｍデバイス１１５−ａは、図１に示されたＭ２Ｍデバイス１１５の例であり得る。図２に示されたＭ２Ｍデバイス１１５−ａ、ＷＡＮ２０５、およびＭ２Ｍサーバ２１０の量は例示のためにすぎず、限定するものとして解釈されるべきでないことが、当業者には理解されよう。
【００３１】
[0049]ワイヤレス通信システム２００は、Ｍ２Ｍ通信を容易にするように動作可能であり得る。Ｍ２Ｍ通信は、人間の介入がない１つまたは複数のデバイス間の通信を含み得る。一例では、Ｍ２Ｍ通信は、ユーザ介入がない、Ｍ２Ｍデバイス１１５−ａなどのリモートマシンと、Ｍ２Ｍサーバ２１０などのバックエンドＩＴインフラストラクチャとの間のデータの自動交換を含み得る。ＷＡＮ２０５（たとえば、基地局１０５−ａ）を介したＭ２Ｍデバイス１１５−ａからＭ２Ｍサーバ２１０へのデータの転送が、逆方向リンク通信を使用して実行され得る。Ｍ２Ｍデバイス１１５−ａによって収集されたデータ（たとえば、監視データ、センサデータ、メータデータなど）が逆方向リンク通信上でＭ２Ｍサーバ２１０に転送され得る。
【００３２】
[0050]基地局１０５−ａを介したＭ２Ｍサーバ２１０からＭ２Ｍデバイス１１５−ａへのデータの転送は順方向リンク通信を介して実行され得る。順方向リンクは、Ｍ２Ｍデバイス１１５−ａに命令、ソフトウェアアップデート、トラフィックデータ、および／またはメッセージを送るために使用され得る。命令は、機器、環境条件などをリモートで監視するようにＭ２Ｍデバイス１１５−ａに命令し得る。Ｍ２Ｍ通信は、限定はしないが、リモート監視、測定および状態記録、フリート管理およびアセット追跡、インフィールド（in-field）データ収集、配信、および記憶など、様々な適用例とともに使用され得る。基地局１０５−ａは、命令、ソフトウェアアップデート、および／またはメッセージを送信するためのチャネルをもつ少数のタイムスロットをもつ１つまたは複数の順方向リンクフレームを生成し得る。様々なＭ２Ｍデバイス１１５−ａは、特定のフレームのタイムスロット中のチャネル上に命令または他のデータが含まれるとき、そのフレームのタイムスロット中に起動し得る。デバイス１１５−ａは、フレームのページングスロット中のページングメッセージを復号することによって、命令または他のデータが利用可能であることに気づき得る。ページングサイクルは、基地局１０５−ａがページングメッセージをＭ２Ｍデバイス１１５−ａにどのくらいの頻度で送信すべきかを示し得る。デバイス１１５−ａは、ページングサイクルに従ってページングメッセージを監視するためにページングスロット中に起動し得る。ページングメッセージは、Ｍ２Ｍデバイス１１５−ａの信号強度に応じて、異なるデータレートで送信され得る。
【００３３】
[0051]一構成では、異なるアドレス指定フォーマットを使用する異なるワイヤレスアクセスネットワークにおいて、異なるタイプのＭ２Ｍ通信が提案され得る。異なるアドレス指定フォーマットは、異なるタイプのＭ２Ｍデバイス１１５−ａが異なるサービスのために使用されることにつながり得る。一態様では、Ｍ２Ｍサーバ２１０と通信するために使用されるＷＡＮ技術とは無関係のＭ２Ｍデバイス１１５−ａを維持し得るＭ２Ｍネットワークが実装され得る。そのような態様では、Ｍ２Ｍデバイス１１５−ａおよびＭ２Ｍサーバ２１０は、使用されるＷＡＮ技術とは無関係にされ得る。その結果、バックホール通信のために使用されるＷＡＮ技術は、すでに設置されているＭ２Ｍデバイス１１５−ａに影響を及ぼすことなしに、異なるＷＡＮ技術と置き換えられ得る。たとえば、Ｍ２Ｍデバイス１１５−ａによって使用されるアドレス指定フォーマットが、実装されたＷＡＮ技術によって使用されるアドレス指定に連結されていないことがあるので、Ｍ２Ｍサーバ２１０とＭ２Ｍデバイス１１５−ａとは、ＷＡＮ技術によって使用されるアドレス指定フォーマットには関係なく互いに通信し得る。
【００３４】
[0052]一実施形態では、Ｍ２Ｍデバイス１１５−ａの挙動はあらかじめ定義され得る。たとえば、別のデバイスを監視し、収集された情報を送信すべき日、時間などが、Ｍ２Ｍデバイス１１５−ａについてあらかじめ定義され得る。たとえば、Ｍ２Ｍデバイス１１５−ａ−１は、別のデバイスを監視し始め、第１のあらかじめ定義された時間期間でその別のデバイスに関する情報を収集するようにプログラムされ得る。デバイス１１５−ａ−１はまた、第２のあらかじめ定義された時間期間で、収集された情報を送信するようにプログラムされ得る。Ｍ２Ｍデバイス１１５−ａの挙動は、デバイス１１５−ａに対してリモートでプログラムされ得る。
【００３５】
[0053]図３Ａは、基地局１０５−ｂとＭ２Ｍデバイス１１５−ｂとを含むページングシステム３００の一実施形態を示すブロック図である。基地局１０５−ｂは、図１または図２の基地局１０５の一例であり得る。Ｍ２Ｍデバイス１１５−ｂは、図１または図２のＭ２Ｍデバイス１１５の一例であり得る。
【００３６】
[0054]図１または図２のシステムなど、ワイヤレス通信システムでは、バッテリー電力とエアリンクリソースの効率の良い方法で、ネットワーク接続性をデバイスの大きい集団（たとえば、Ｍ２Ｍデバイス１１５）に与えるために、スリープ状態およびページングの概念が重要である。スリープ状態は、デバイスの送信／受信回路の全部または一部をシャットダウンすることによってバッテリー電力消費量を最小限に抑えるための動作モードをＭ２Ｍデバイス１１５−ｂに与え得る。さらに、スリープ状態のＭ２Ｍデバイス１１５は、専用エアリンクリソースを割り振られないことがあり、したがって、多数のＭ２Ｍデバイスが同時にサポートされ得る。Ｍ２Ｍデバイス１１５−ｂがトラフィックアクティビティを有しない時間間隔中に、デバイス１１５−ｂは、リソースを節約するためにスリープ状態にとどまり得る。
【００３７】
[0055]ページングは、Ｍ２Ｍデバイス１１５−ｂがスリープ状態から周期的に起動することと、順方向リンク通信（たとえば、基地局１０５−ｂからＭ２Ｍデバイス１１５−ｂへの通信）においてページングメッセージ３０５を受信および処理するようにＭ２Ｍデバイス１１５−ｂを動作させることとを伴い得る。基地局１０５−ｂは、Ｍ２Ｍデバイス１１５−ｂがいつ起動すべきであるかに気づいていることがある。したがって、基地局１０５−ｂがＭ２Ｍデバイス１１５−ｂに連絡するかまたはそれをページングすることを意図した場合、基地局１０５−ｂは、Ｍ２Ｍデバイス１１５−ｂが起動してページングチャネルを監視するようにスケジュールされたときに、順方向リンクフレームの１つまたは複数のページングスロットの全部または一部分中にページングチャネルにおいてページングメッセージ３０５を送り得る。しかしながら、基地局１０５−ｂは、Ｍ２ＭワイヤレスＷＡＮ中の各Ｍ２Ｍデバイス１１５の信号強度に気づいていないことがある。その結果、基地局１０５−ｂは、第１のページングチャネルを使用して高データレートでページングメッセージを送信し得る。基地局１０５−ｂとＭ２Ｍデバイス１１５−ｂとの間の信号強度があまりに低いので、デバイス１１５−ｂがページングメッセージ３０５を適切に復調することができない場合、基地局１０５−ｂは、デバイス１１５−ｂにメッセージを送信するために使用されるデータレートを動的に変更し得る。さらに、基地局１０５は、それがページングメッセージ３０５を送信する頻度を増加させ得、デバイス１１５−ｂは、より低いデータレートで送られるページングメッセージ３０５を監視するためにそれが起動する頻度を増加させ得る。一構成では、基地局１０５−ｂが、Ｍ２Ｍデバイス１１５−ｂがページングメッセージを受信したことを確認するページング応答３１０を受信しなかった場合、基地局１０５−ｂは、より頻繁におよびより低いデータレートでページングスロット中に第２のページングチャネルを使用してページングメッセージ３０５を再送信し得る。Ｍ２Ｍデバイス１１５−ｂがページングメッセージ３０５を受信し、ページング応答３１０を送信するまで、および／またはページングメッセージ３０５の一定数の送信が行われるまで、基地局１０５−ｂはページングメッセージ３０５を再送信し得る。これらのイベントの一方または両方が発生した場合、基地局１０５−ｂおよびＭ２Ｍデバイス１１５−ｂは前のページングサイクルの下で動作することに戻り得、基地局１０５−ｂは、第１のページングチャネルを使用して高データレートでデバイス１１５−ｂにページングメッセージを送信することに戻り得る。
【００３８】
[0056]Ｍ２Ｍデバイス１１５−ｂの２つの連続する起動期間の間の時間間隔は、ページングサイクルと呼ばれることがある。Ｍ２Ｍデバイス１１５−ｂが、ページングメッセージ３０５を受信することに関係する処理を実行していないとき、Ｍ２Ｍデバイス１１５−ｂは、ページングサイクルの一部分中にスリープ状態で動作し得る。スリープ状態の恩恵を最大にするために、ページングシステム３００は、ページングサイクルのために大きい値を使用し得る。たとえば、データシステムでは、ページングサイクルは約５分であり得る。上述のように、基地局１０５−ｂが、ページングメッセージ３０５の受信の成功を示すページング応答３１０を受信しなかった場合、基地局１０５−ｂは、ページング応答３１０が受信されるまで、より小さいページングサイクルを使用してページングメッセージ３０５を再送信し得る。ページングメッセージ３０５の再送信は、同じチャネルまたは異なるチャネルを使用して行われ得る。さらに、Ｍ２Ｍデバイス１１５−ｂは、ページングメッセージ３０５についてフレームのページングスロットを監視するために、より周期的に起動し得る（すなわち、より短いページングサイクル）。
【００３９】
[0057]一実施形態では、フレームのページングスロット中に使用されるページングチャネルは、いくつかのページングメッセージ３０５を搬送するのに十分な帯域幅を有し得る。一例では、ページングチャネルは、ページングメッセージ３０５の最大量よりも少なく搬送し得る。基地局１０５−ｂは、ページングスロット中のページングチャネルの余分の未使用帯域幅中にシステム情報を挿入し得る。システム情報は、基地局１０５−ｂから送信された信号のタイミングを収集するためにいくつかのＭ２Ｍデバイス１１５によって使用され得る。システム情報を送信するためにページングチャネルを再利用することにより、そのような情報を搬送するために（順方向リンクフレームの全体的な長さを増加させ得る）順方向リンクフレームの追加のタイムスロット中に追加のチャネルをセットアップする必要が回避される。その結果、Ｍ２Ｍデバイス１１５は、それらがアウェイクモードにある時間量を最小限に抑えることによって電力を節約し得る。ページングチャネルを再利用することによって、順方向リンク上で送信されるフレームのタイムスロットが短く保たれ得、それにより、Ｍ２Ｍデバイス１１５ができる限り迅速にスリープモードに戻ることが可能になる。
【００４０】
[0058]ページングメッセージ３０５の受信時に、Ｍ２Ｍデバイス１１５−ｂは、ページングメッセージ３０５において指定された任意の動作を行い得る。たとえば、Ｍ２Ｍデバイス１１５−ｂは、単にページングメッセージ３０５を受信し、スリープ状態に戻り得る。代替的に、Ｍ２Ｍデバイス１１５−ｂは、基地局１０５−ｂとのアクティブ接続を確立するために基地局１０５−ｂにアクセスし得る。
【００４１】
[0059]図３Ｂは、ワイヤレス通信システム３２０の一実施形態を示すブロック図である。システム３２０は、基地局１０５−ｃとＭ２Ｍデバイス１１５−ｃとを含み得る。基地局１０５−ｃおよびＭ２Ｍデバイス１１５−ｃは、図１、図２、または図３Ａの基地局およびＭ２Ｍデバイスの例であり得る。一構成では、基地局１０５−ｃは、順方向リンク通信３２５のために使用される論理チャネルのための限られた数のタイムスロットをもつ順方向リンクフレームを使用してＭ２Ｍデバイス１１５−ｃと通信し得る。Ｍ２Ｍデバイス１１５−ｃは、逆方向リンク通信３３０を使用して基地局１０５−ｃと通信し得る。順方向リンク通信と逆方向リンク通信とを使用して行われる通信は、上記で説明したようにＭ２Ｍ通信であり得る。これらの通信は、基地局１０５−ｃとＭ２Ｍデバイス１１５−ｃとによって使用されるエアインターフェースプロトコルに主に応じて、様々な形態をとり得る。
【００４２】
[0060]基地局１０５−ｃは、一般にそれぞれ順方向リンク通信と逆方向リンク通信とを定義するために周波数帯域のペアを使用して、１つまたは複数のキャリア周波数上で通信するように構成され得る。基地局１０５−ｃはまた、マルチプルなセルセクタを定義するように構成された指向性アンテナ要素のセットを含み得る。所与のキャリア周波数上の各セクタ中のＭ２Ｍ通信は、所与のセクタ中の通信を擬似ランダム雑音（pseudo-random noise）オフセット（「ＰＮオフセット」）などのセクタ固有コードで変調することによって、他のセクタ中の通信と区別され得る。さらに、各セクタ中のＭ２Ｍ通信は、それぞれ時分割多重化（ＴＤＭ）を通して定義され得る制御チャネルとトラフィックチャネルとに分割され得る。
【００４３】
[0061]一実施形態では、信号は、順方向リンク通信３２５および逆方向リンク通信３３０上でフレームフォーマットにおいて送信され得る。フレームフォーマット内で、情報は、通信リンク３２５、３３０を介して通信されるべき実際のペイロードデータに従ってパケット化され、フォーマットされ得る。一構成では、順方向リンク通信３２５上で送信されるフレームのフォーマットは、様々なチャネルのための様々なタイムスロットを含み得る。一実施形態では、フレームは、ページングチャネルのためのページングスロットと、ＡＣＫチャネルのためのＡＣＫスロットと、トラフィックチャネルのためのトラフィックスロットとを含み得る。上述のように、ページングメッセージ３０５および／またはシステム情報は、ページングスロット中にＭ２Ｍデバイス１１５−ｃに（ページングサイクルに従って）ページングチャネル中で送信され得る。ＡＣＫメッセージは、信号またはデータが基地局１０５−ｃにおいて正常に受信されたとき、ＡＣＫタイムスロット中にＭ２ＭデバイスにＡＣＫチャネル中で送信され得る。トラフィックデータは、トラフィックタイムスロット中にＭ２Ｍデバイス１１５−ｃにトラフィックチャネル中で送信され得る。Ｍ２Ｍ通信において順方向リンク通信３２５上で使用されるフレームは短いデューティサイクルに基づき得る。
【００４４】
[0062]電力を節約するために、Ｍ２Ｍデバイス１１５は、データ、ページングメッセージ３０５などを受信するために特定の順方向リンクフレームの特定のタイムスロット中にのみ起動し得る。その結果、Ｍ２Ｍ通信におけるフレーム構造はＭ２Ｍデバイスごとにスロット化され得る。したがって、各デバイス１１５は、それのデータを取り出すために必要とされる１つまたは複数のフレームの１つまたは複数のスロット中にのみ起動する必要があり得る。トラフィックチャネルサイクルの開始時に、サイクル中にトラフィックデータを受信することを予想している各Ｍ２Ｍデバイス１１５にスロットマップがブロードキャストされ得る。スロットマップは、各Ｍ２Ｍデバイスが、それらのそれぞれのトラフィックデータがサイクル中に順方向リンク上でいつ送信されるかを推定することを可能にする情報を含み得る。スロットマップ内の情報は、各デバイス１１５が、それのデータがいつ送信されるかを識別することを可能にするためにハッシングされ得る。スロットマップを受信した後に、デバイス１１５は、スリープ状態に戻り、それらのデータが送信される１つまたは複数のトラフィックスロット中に再びアウェイクし得る。
【００４５】
[0063]一構成では、通信リソースを保持するために、Ｍ２Ｍデバイス１１５−ｃは、本システムおよび方法に従って、スリープ状態に戻るために、基地局１０５−ｃから送信されたメッセージの適時的（opportunistic）な復号を実行し得る。一実施形態では、基地局１０５−ｃは、１つまたは複数の順方向リンクフレームを生成し、それらの１つまたは複数の順方向リンクフレームのチャネルを使用してＭ２Ｍデバイス１１５−ｃにメッセージのマルチプルなコピーを送信し得る。メッセージの各コピーは、高データレートでサブチャネル中で送られ得る。Ｍ２Ｍデバイス１１５−ｃは、メッセージを正常に復調するために必要とされるコピー数のメッセージを読み取り得る。一構成では、Ｍ２Ｍデバイス１１５−ｃは、基地局１０５−ｃから送信されたパイロット信号からの受信信号強度に基づいて、Ｍ２Ｍデバイス１１５−ｃがメッセージを復号するために受信する必要があるメッセージのコピー数を推定し得る。メッセージを正常に復号すると、デバイス１１５−ｃは、物理レイヤＡＣＫメッセージを生成し、基地局１０５−ｃに返信する前に、スリープ状態に戻り得る。メッセージの追加のコピーがサブチャネル中に残っている場合、基地局１０５−ｃは、（Ｍ２Ｍデバイス１１５−ｃがスリープ状態に戻っていても）それらの追加のコピーを送信し続け得る。一構成では、デバイス１１５−ｃは、メッセージが復調されたことを示す物理レイヤＡＣＫメッセージを基地局に送信しないことによってバッテリー電力を節約し得る。
【００４６】
[0064]一実施形態では、Ｍ２Ｍデバイス１１５−ｃのバッテリー電力、およびＭ２Ｍデバイス１１５−ｃと基地局１０５−ｃとの間のエアインターフェースリソースを節約するために、逆方向リンク通信３３０は早く終了され得る。上述のように、順方向リンクフレームは、ＡＣＫメッセージがその間に送信され得るＡＣＫスロットを含み得る。スロット中にＡＣＫメッセージを送信するために使用されるチャネルはランダムアクセスチャネルであり得る。基地局１０５−ｃは、逆方向リンク通信３３０を使用してＭ２Ｍデバイス１１５−ｃから送られた逆方向リンク物理レイヤパケットの受信に肯定応答するＡＣＫメッセージを搬送するために、チャネルを使用し得る。一構成では、順方向リンクフレームの状態が好ましいものであるように見えるとき、より多数のＡＣＫメッセージがＡＣＫパケット中で送信されている場合がある。これは、パケットが基地局によって正常に復号されるまで、Ｍ２Ｍデバイスが逆方向リンク通信３３０上で送信しなければならない、パケットのコピー数を識別することを含み得る。同様に、順方向リンクの状態が好ましいものであるように見えないとき、より少数のＡＣＫメッセージがＡＣＫパケット中で送信されている場合がある。パケット中のＡＣＫメッセージの数を増加および減少させることは、Ｍ２ＭデバイスにＡＣＫメッセージを送信するために使用されるデータレートを効果的に変化させる。その結果、あらゆるＡＣＫメッセージを最も低いデータレートで送るのではなく、いくつかのＡＣＫメッセージはより高いデータレートで送られ得る。ＡＣＫ（すなわち、ＡＣＫメッセージ）がより高いデータレートでＭ２Ｍデバイス１１５−ｃに送信されたとき、デバイス１１５−ｃは、そのＡＣＫをより迅速に受信し、復号し得、したがって、順方向リンクＡＣＫスループットが増加し、ＡＣＫが低データレートを使用して送信された場合よりも早い時間期間に逆方向リンク通信３３０が終了する。
【００４７】
[0065]一構成では、逆方向リンク通信３３０の動作帯域は、マルチプルな逆方向リンク周波数チャネルに分割され得る。各周波数チャネル内で、マルチプルなＭ２Ｍデバイス１１５のための逆方向リンク通信を多重化するためにＣＤＭＡ技法が使用され得る。一例では、各逆方向リンク周波数チャネルはそれ自体のライズオーバサーマル（ＲｏＴ：rise over thermal）動作点を有し得る。少なくとも１つの周波数チャネルが、低ＲｏＴをもつ低データレートランダムアクセスチャネルとして専用化され得る。逆方向リンク通信３３０の動作帯域を分割すると、基地局との強い信号強度を有しないＭ２Ｍデバイスのための逆方向リンク通信に低ＲｏＴ動作ターゲット（たとえば、１デシベル（ｄＢ）以下）が与えられ得る。低ＲｏＴは、経路損失が大きいロケーション中のデバイスのためのリンクバジェット要件を低減し得る。
【００４８】
[0066]一例では、Ｍ２Ｍデバイス１１５−ｃの電力効率を高めるために、逆方向リンク通信３３０のために狭帯域周波数分割多元接続（ＦＤＭＡ）技法が使用され得る。この技法は、逆方向リンク通信３３０の動作帯域をいくつかの狭帯域周波数チャネルに分割することを含み得る。基地局１０５−ｃは、各狭帯域チャネルのステータスおよび割当てを各Ｍ２Ｍデバイス１１５にブロードキャストし得る。ステータスは「ビジー」または「アイドル」であり得る。一実施形態では、Ｍ２Ｍデバイス１１５−ｃは、狭帯域周波数チャネルがデバイス１１５−ｃに割り当てられた場合のみ、データを送信し得る。信号対干渉雑音比（ＳＩＮＲ）分布を活用し、逆方向リンク通信３３０においてマルチプルなデータレートをサポートするために、狭帯域ＦＤＭＡ技法に（上記で説明した）逆方向リンク通信３３０の早期終了が組み込まれ得る。逆方向リンク上の早期終了は、周波数チャネルのステータスがビジーステータスからアイドルステータスに遷移するときに行われ得る。ステータスがアイドルに遷移したことを検出すると、Ｍ２Ｍデバイスは逆方向リンク上の送信を終了し得る。
【００４９】
[0067]次に図４Ａを参照すると、ブロック図が、様々な実施形態による、順方向リンク通信を管理するためのデバイス４００を示している。デバイス４００は、図１、図２、図３Ａ、および／または図３Ｂに関して説明した基地局１０５の１つまたは複数の態様の一例であり得る。デバイス４００はまた、プロセッサであり得る。デバイス４００は、受信機モジュール４０５、順方向リンク通信モジュール４１０、および／または送信機モジュール４１５を含み得る。これらの構成要素の各々は互いに通信中であり得る。
【００５０】
[0068]デバイス４００のこれらの構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５１】
[0069]受信機モジュール４０５は、パケット、データ、および／またはデバイス４００が受信または送信したものに関するシグナリング情報などの情報を受信し得る。受信された情報は、様々な目的のために順方向リンク通信モジュール４１０によって利用され得る。
【００５２】
[0070]受信機モジュール４０５は、逆方向リンク通信３３０を使用してＭ２Ｍデバイス１１５から送られた逆方向リンク物理レイヤパケットを受信するように構成され得る。受信機モジュール４０５はまた、Ｍ２Ｍデバイス１１５に通信するためにバックエンドサーバから命令、動作のセット、メッセージなどを受信するように構成され得る。順方向リンク通信モジュール４１０は１つまたは複数の順方向リンクフレームを生成し得る。これらのフレームは、論理チャネルのために使用される最小数のタイムスロットを含む短いデューティサイクルフレームであり得る。順方向リンクフレームは、マルチプルなＭ２Ｍデバイスとの通信のためにスロット化され得る。順方向リンクフレームに関する詳細については以下で説明する。
【００５３】
[0071]順方向リンク通信モジュール４１０は、送信機４１５を使用して１つまたは複数のＭ２Ｍデバイス１１５にブロードキャストすべきスロットマップを生成し得る。マップは、現在のトラフィックチャネルサイクル中の順方向リンク通信３２５上でのトラフィックデータの送信を予想しているＭ２Ｍデバイス１１５にブロードキャストされ得る。マップは、各デバイス１１５のためのトラフィックデータがその間に送信されるトラフィックスロットを識別し得る。送信機モジュール４１５は、１つまたは複数のＭ２Ｍデバイス１１５にトラフィックチャネルサイクルの第１の順方向リンクフレーム中でスロットマップを送信し得る。
【００５４】
[0072]一実施形態では、順方向リンク通信モジュール４１０は、送信機モジュール４１５を介していくつかのＭ２Ｍデバイス１１５に送信すべきいくつかのページングメッセージ３０５を生成し得る。ページングメッセージ３０５は、基地局１０５が、特定のＭ２Ｍデバイス１１５に基地局１０５と交信するように要求していることをそのＭ２Ｍデバイス１１５にアラートし得る。一構成では、ページングメッセージ３０５は、Ｍ２Ｍデバイス１１５がページングメッセージを正常に復調するかどうかに応じて、異なるデータレートでページングタイムスロット中にページングチャネル（またはページングチャネルのサブチャネル）において送信され得る。
【００５５】
[0073]一構成では、ページングチャネルは、ページングメッセージ３０５を最大数よりも少なく含み得る。ページングチャネルが最大数のページングメッセージ３０５を含まない場合、ページングスロットはアイドルと決定され得る。ページングチャネルの未使用容量は、ページングチャネル中にシステム情報を挿入することによって利用され得る。システム情報は、次いで、順方向リンクフレームのページングタイムスロット中にページングチャネル中でＭ２Ｍデバイス１１５にブロードキャストされ得る。このタイプの情報を送信するための順方向リンクフレーム中の追加のチャネルおよびタイムスロットは回避される。代わりに、システム情報を送信するためにアイドルページングタイムスロットが再利用され得る。
【００５６】
[0074]Ｍ２Ｍデバイス１１５がページングメッセージ３０５を正常に復号したとき、受信機モジュール４０５はページング応答３１０を受信し得る。受信機モジュール４０５がページング応答３１０を受信しなかったとき、順方向リンク通信モジュール４１０は、ページングメッセージ３０５を再送信するように送信機モジュール４１５に命令するように構成され得る。送信機モジュール４１５は、ページングメッセージ３０５の元の送信よりも低いデータレートでおよび高い頻度でメッセージ３０５を再送信し得る。受信機モジュール４０５によってページング応答３１０が受信されたとき、および／またはメッセージ３０５の一定数の再送信が送信された後に、送信機モジュール４１５は再送信を中止し得る。送信機モジュール４１５は、異なる順方向リンクフレームの異なるサブページングチャネル上でページングメッセージ３０５を送信および再送信し得る。一構成では、ページングメッセージ３０５を送信するためにページングチャネルが必要とされないとき、順方向リンク通信モジュール４１０は、システム情報を生成し、順方向リンクフレームのページングチャネル中に挿入し得る。送信機モジュール４１５は、フレームのページングチャネル中でシステム情報をＭ２Ｍデバイス１１５に送信し得る。一構成では、送信機４１５は、マルチプルなフレームのマルチプルなページングチャネルを使用して情報を送信し得る。ページングメッセージは、異なるデータレートでおよび異なるページングサイクルで異なるページングチャネル中で送信され得る。
【００５７】
[0075]図４Ｂは、順方向リンク通信モジュール４１０−ａの一実施形態を示すブロック図である。モジュール４１０−ａは、図４Ａの順方向リンク通信モジュールの一例であり得る。一例では、モジュール４１０−ａは、順方向リンクフレーム生成モジュール４２０と、ＡＣＫ生成モジュール４２５と、ページングスロット再利用モジュール４３０と、ページングサイクル選択モジュール４３５と、ページングチャネル選択モジュール４４０と、共有トラフィックチャネルフォーマッティングモジュール４４５と、順方向リンクパケットフォーマッティングモジュール４５０とを含み得る。
【００５８】
[0076]順方向リンクフレーム生成モジュール４２０は、順方向リンク３２５上での（たとえば、基地局からＭ２Ｍデバイスへの）通信のために使用されるべき物理レイヤフレームを生成し得る。生成されたフレームは、短いデューティサイクルと、少数のスロット化物理レイヤチャネルとに基づき得る。たとえば、モジュール４２０は、合計２０ミリ秒（ｍｓ）である順方向リンク物理レイヤフレームを生成し得る。モジュール４２０によって生成されるフレームのスロット動作により、Ｍ２Ｍデバイス１１５は、それがデータを予想しているフレームのスケジュールされたタイムスロット中にのみ起動し、それの無線機をオンにすることが可能になり得る。その結果、Ｍ２Ｍデバイス１１５は、フレームの長さよりも短い間アウェイクモードにあり得る。
【００５９】
[0077]順方向リンクフレームの物理チャネルの各々は、時分割多重化（ＴＤＭ）され得る、パイロットシンボルとデータシンボルの両方を含み得る。一構成では、モジュール４２０によって生成される順方向リンクフレームは、ページングスロットと、ＡＣＫスロットと、トラフィックスロットとを含み得る。ページングメッセージおよび他の情報は、ページングタイムスロット中に順方向リンク通信３２５上でＭ２Ｍデバイス１１５にページングチャネル中で送信され得る。ＡＣＫメッセージおよび追加情報は、ＡＣＫスロット中にＡＣＫチャネル（たとえば、ランダムアクセスチャネル）中で送信され得る。データトラフィックは、トラフィックスロット中にＭ２Ｍデバイス１１５にトラフィックチャネル中で送信され得る。
【００６０】
[0078]ＡＣＫ生成モジュール４２５は、順方向リンク通信３２５上で送信すべきＡＣＫメッセージを生成し得る。メッセージは、順方向リンクフレーム生成モジュール４２０によって生成される順方向リンクフレームの一部であるＡＣＫチャネル中で送信され得る。一構成では、チャネルは、ＡＣＫパケット中でマルチプルなＡＣＫを送信するために使用され得る。パケット中の各ＡＣＫはＭ２Ｍデバイス１１５の識別子（ＩＤ）であり得る。ＩＤはＭ２ＭデバイスのネットワークＩＤであり得る。さらに、ＩＤはネットワークＩＤの圧縮バージョンであり得る。たとえば、圧縮ＩＤは、Ｍ２Ｍデバイス１１５のネットワークＩＤのハッシュであり得る。一構成では、ＡＣＫ生成モジュール４２５は、ＡＣＫパケットを作成するためにマルチプルなＡＣＫをグループ化し得る。一実施形態では、ＡＣＫパケットは、順方向リンクのチャネル状態に応じて異なる量のＡＣＫを含み得る。
【００６１】
[0079]いくつかの事例では、ページングスロットは、いくつかの順方向リンクフレームにわたってアイドルであり得る。たとえば、ページングスロット中のページングチャネルの容量がフル容量ではないことがある。たとえば、ページングスロットは、Ｍ２Ｍデバイス１１５のためにページングメッセージ３０５を送信するようにスケジュールされないことがある。その結果、ページングチャネルはエンプティ（たとえば、ページングメッセージ３０５なし）であり得る。ページングスロット再利用モジュール４３０は、Ｍ２Ｍデバイス１１５にシステム情報を通信するためにアイドルページングスロットを再利用し得る。システム情報は、システムタイミングおよびセクタ番号情報を含み得、ページングタイムスロット中のＭ２Ｍデバイス１１５への送信のためにページングチャネル中に挿入され得る。したがって、Ｍ２Ｍデバイス１１５にシステム情報を搬送するための順方向リンクフレーム内の追加のチャネルの確立が回避され得る。代わりに、ページングスロット再利用モジュール４３０は、フレーム内のページングスロットのアイドルページングチャネル中にシステム情報を挿入し得る。
【００６２】
[0080]一実施形態では、ページングサイクル選択モジュール４３５は、Ｍ２Ｍデバイスにページングメッセージを送信するための特定のページングサイクルを選択し得る。モジュール４３５は、Ｍ２ＭワイヤレスＷＡＮ中のＭ２Ｍデバイス１１５のためにページングサイクルを動的に変更するためにフレキシブルなページング方式を与え得る。ページングサイクル選択モジュール４３５は、デバイス１１５からページング応答３１０が受信されたかどうか、時刻、Ｍ２Ｍデバイス１１５の動作状態などに応じて、ページングサイクルを動的に変更し得る。
【００６３】
[0081]一構成では、ページングチャネル選択モジュール４４０は、順方向リンク通信３２５を使用してＭ２Ｍデバイス１１５にページングメッセージを送信するためにページングチャネルのサブチャネル間で選択し得る。たとえば、選択モジュール４４０は、１次ページングチャネルと２次ページングチャネルとの間で選択し得る。モジュール４４０は、１次ページングチャネルと２次ページングチャネルとを使用してＭ２Ｍ  ＷＡＮにおいてページングメッセージが異なるデータレートで送信されることを可能にするページング方式を与え得る。１次ページングチャネルはより長いページングサイクルのために使用され得るが、２次ページングチャネルはより短いページングサイクルのために使用され得る。一例では、基地局１０５は第１のページングメッセージを送信し得る。モジュール４４０は１次チャネルを選択し得る。第１のページングメッセージは、長いページングサイクルにわたって高データレートで１次チャネル中で送信され得る。基地局はまた、第２のページングメッセージを送信し得る。モジュール４４０は２次ページングチャネルを選択し得る。第２のメッセージはより短いページングサイクルにわたってより低いデータレートで送信されるべきであるので、第２のページングメッセージは第２のページングメッセージ中で送信され得る。一実施形態では、第１のページングメッセージと第２のページングメッセージは同じであり得る。一例では、ページングチャネルは論理チャネルであり得る。一構成では、ページングチャネルは符号分割多元接続（ＣＤＭＡ）チャネルであり得る。一例では、ページングチャネルは時分割多元接続（ＴＤＭＡ）チャネルであり得る。
【００６４】
[0082]共有トラフィックチャネルフォーマッティングモジュール４４５は、マルチプルなＭ２Ｍデバイスによって共有され得る順方向リンクフレーム中のトラフィックチャネルをフォーマットし得る。Ｍ２Ｍデバイス１１５が所与のトラフィックチャネルサイクル内のトラフィックスロット中に共有トラフィックチャネル上のデータを予想しているとき、デバイス１１５は、ＩＤフィールドによって示されるそれのデータを見つけるまで、トラフィックチャネルサイクル中にマルチプルな順方向リンクフレームにわたってトラフィックチャネルスロットを読み取り続け得る。その結果、Ｍ２Ｍデバイス１１５は、それのデータを見つけるのに必要であるよりも長くアウェイクのままであり得る。フォーマッティングモジュール４４５は、Ｍ２Ｍデバイス１１５の起動時間を最小限に抑えるような方法でトラフィックチャネルをフォーマットし得る。Ｍ２Ｍデバイス１１５は、共有トラフィックチャネル上のそれのデータを取り出すために（１つまたは複数の）特定のフレームのどの（１つまたは複数の）スロットを起動すべきかを決定し得る。どのスロットについて起動すべきかを決定するために、基地局１０５は、サイクルの第１のトラフィックスロット中にスロットマップをブロードキャストし得る。マップは、Ｍ２Ｍデバイス１１５がサイクル中にそれのデータを受信することを予想することができるトラフィックスロットを識別するために、ハッシング関数を使用し得る。トラフィックチャネルは、デバイスがどのスロットを使用すべきかを決定することを可能にするようにモジュール４４５によってフォーマットされ得る。たとえば、モジュール４４５は、ハッシングされたスロットが、データ、または実際のデータが位置するスロットへのポインタのいずれかを含んでいるように、共有トラフィックチャネルをフォーマットし得る。第１のフレームのスロットがすべてのポインタを含み得ない場合、モジュール４４５は、オーバーフローフラグを設定し、ハッシングされたＭ２Ｍデバイスがそれのデータについて検査することができる別のフレームの別のスロットへのポインタを与え得る。Ｍ２Ｍデバイス１１５のためのすべてのデータが単一のスロット中に収容され得ない場合、モジュール４４５は、残りのデータが送信される別のスロットへのポインタを含むトレーラフィールドを含み得る。
【００６５】
[0083]順方向リンクパケットフォーマッティングモジュール４５０は、順方向リンク通信３２５上で送信されるべきパケットをフォーマットし得る。一例では、モジュール４５０はパケットのマルチプルなコピーを作成し得る。さらに、モジュール４５０は、パケットの単一のコピーを順方向リンクフレーム内のタイムスロットのサブスロット中に挿入し得る。一実施形態では、順方向リンクフレームのタイムスロット（たとえば、ページングスロット、ＡＣＫスロット、トラフィックスロット）はいくつかのサブスロットに分割され得る。順方向リンクパケットフォーマッティングモジュール４５０は、パケットの単一のコピーを生成されたサブスロットの各々中に挿入し得る。一構成では、タイムスロット中にパケットを搬送するために使用されるチャネルも、いくつかのサブチャネルに分割され得る。その結果、サブチャネルは、順方向リンク通信３２５上でパケットのコピーを搬送するために各サブスロット中に使用され得る。各サブチャネルは、高データレートでパケットのコピーを送信するために使用され得る。
【００６６】
[0084]図５Ａは、様々な実施形態による、逆方向リンク通信を管理するためのデバイス５００を示すブロック図である。デバイス５００は、図１、図２、図３Ａ、および／または図３Ｂに関して説明したＭ２Ｍデバイス１１５および／または基地局１０５の１つまたは複数の態様の一例であり得る。デバイス５００はプロセッサでもあり得る。デバイス５００は、受信機モジュール５０５、逆方向リンク通信モジュール５１０、および／または送信機モジュール５１５を含み得る。これらの構成要素の各々は互いに通信していることがある。
【００６７】
[0085]デバイス５００のこれらの構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６８】
[0086]受信機モジュール５０５は、パケット、データ、および／またはデバイス５００が受信または送信したものに関するシグナリング情報などの情報を受信し得る。受信された情報は、様々な目的のために逆方向リンク通信モジュール５１０によって利用され得る。
【００６９】
[0087]受信機モジュール５０５は、順方向リンク通信３２５を使用して基地局１０５から送られた順方向リンク物理レイヤパケットを受信するように構成され得る。逆方向リンク通信モジュール５１０は、Ｍ２Ｍデバイス１１５から基地局１０５にトラフィックがその間に送信され得るトラフィックスロットを含む逆方向リンクフレームを生成し得る。
【００７０】
[0088]一実施形態では、逆方向リンク通信モジュール５１０は、逆方向リンク上の通信を早く終了させ得る。前に説明したように、順方向リンクフレームは、基地局１０５からＭ２Ｍデバイス１１５に高データレートでＡＣＫメッセージを搬送するためのＡＣＫチャネルを含み得る。ＡＣＫメッセージを受信すると、逆方向リンク通信モジュール５１０は、逆方向リンク通信３３０上で通信を送信するのを中止するように送信機５１５に命令し得る。逆方向リンク通信モジュール５１０に関する詳細については以下で説明する。
【００７１】
[0089]図５Ｂは、逆方向リンク通信モジュール５１０−ａの一実施形態を示すブロック図である。モジュール５１０−ａは、図５Ａの逆方向リンク通信モジュールの一例であり得る。一例では、モジュール５１０−ａは、スリープ状態モジュール５２０と、チャネル識別モジュール５２５と、狭帯域チャネル識別モジュール５３０とを含み得る。
【００７２】
[0090]一構成では、スリープ状態モジュール５２０は、Ｍ２Ｍデバイス１１５が、基地局１０５からメッセージを受信するのに十分長く起動し、次いで、電力を節約するためにスリープ状態に戻ることを可能にし得る。基地局は、順方向リンクフレームを使用してＭ２Ｍデバイスにメッセージを送信し得る。フレームは、メッセージを搬送するためにページングチャネルを含み得る。ページングチャネルはいくつかのサブチャネルを含み得る。基地局は、各サブチャネル中でメッセージのコピーを送信し得る。Ｍ２Ｍデバイスがサブチャネルのうちの１つ上でメッセージを正常に受信し、復調したとき、スリープ状態モジュール５２０は、基地局にＡＣＫメッセージを返送することなしに、バッテリーを節約するために、Ｍ２Ｍデバイス１１５にそれの無線機をオフにさせ、スリープ状態に戻らせ得る。
【００７３】
[0091]一実施形態では、チャネル識別モジュール５２５は、チャネルのＲｏＴレベルに少なくとも部分的に基づいて、使用すべき逆方向リンクチャネルを識別し得る。前に説明したように、逆方向リンクの動作帯域は、マルチプルな逆方向リンク周波数チャネルに分割され得る。各周波数チャネル内で、マルチプルなユーザの多重化のためにＣＤＭＡが実装され得る。各周波数チャネルはそれ自体のターゲットＲｏＴ動作点を有し得る。少なくとも１つの周波数チャネルが、低ＲｏＴ動作点をもつ低データレートランダムアクセスチャネルとして専用化され得る。
【００７４】
[0092]一例では、狭帯域チャネル識別モジュール５３０は、チャネルのステータスに少なくとも部分的に基づいて、逆方向リンク上でデータを送信するために使用すべき狭帯域チャネルを識別し得る。一実施形態では、逆方向リンクの動作帯域はいくつかの狭帯域周波数チャネルに分割され得る。各狭帯域チャネルのビジーまたはアイドルのステータスが各Ｍ２Ｍデバイス１１５にブロードキャストされ得る。デバイスは、プリアンブルを送ることによってチャネルのアイドルセットからランダムに選択されたチャネルを求めて競合し得る。モジュール５３０は、逆方向リンク上でデータを送信するために使用すべきチャネルがＭ２Ｍデバイスに暗黙的にまたは明示的に割り当てられた場合、そのチャネルを選択し得る。選択されたチャネル上でのデータの送信は、チャネル状態がビジーステータスに遷移した場合に中断されないことがある。
【００７５】
[0093]図６は、様々な実施形態による、順方向リンク通信を管理するためのデバイス６００を示すブロック図である。デバイス６００は、図１、図２、図３Ａ、図３Ｂ、図４Ａ、および／または図４Ｂに関して説明した基地局の１つまたは複数の態様の一例であり得る。デバイス６００はまた、プロセッサであり得る。デバイス６００は、受信機モジュール４０５−ａ、順方向リンク通信モジュール４１０−ａ、および／または送信機モジュール４１５−ａを含み得る。これらの構成要素の各々は互いに通信中であり得る。
【００７６】
[0094]デバイス６００の構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７７】
[0095]受信機モジュール４０５−ａは、パケット、データ、および／またはデバイス６００が受信または送信したものに関するシグナリング情報などの情報を受信し得る。受信された情報は、前に説明したように、様々な目的のために順方向リンク通信モジュール４１０−ａによって利用され得る。
【００７８】
[0096]一構成では、順方向リンク通信モジュール４１０−ａは共有トラフィックチャネルフォーマッティングモジュール４４５−ａを含み得る。モジュール４４５−ａは、トラフィックチャネルサイクルのはじめにおいてマルチプルなＭ２Ｍデバイス１１５にブロードキャストされるべきスロットマップを生成し得る。スロットマップは、各デバイス１１５のためのトラフィックデータがサイクル中にいつ送信されるかを示し得る。スロットマップの作成および送信に関する詳細については以下で説明する。
【００７９】
[0097]図７に、様々な実施形態による、トラフィックスロットマップを作成し、Ｍ２Ｍデバイス１１５にブロードキャストするように構成され得る通信システム７００のブロック図を示す。このシステム７００は、図１に示されたシステム１００、図２のシステム２００、図３Ａのシステム３００、図３Ｂの３２０、図４Ａのシステム４００、および／または図６のシステム６００の態様の一例であり得る。
【００８０】
[0098]システム７００は基地局１０５−ｄを含み得る。基地局１０５−ｄは、アンテナ７４５と、トランシーバモジュール７５０と、メモリ７７０と、プロセッサモジュール７６５とを含み得、その各々は、（たとえば、１つまたは複数のバスを介して）互いに直接または間接的に通信中であり得る。トランシーバモジュール７５０は、センサ、メータ、または、トラッキング、センシング、モニタリングなどが可能な任意の他のタイプのデバイスであり得るＭ２Ｍデバイス１１５と、アンテナ７４５を介して、双方向に通信するように構成され得る。トランシーバモジュール７５０（および／または基地局１０５−ｄの他の構成要素）はまた、１つまたは複数のネットワークと双方向に通信するように構成され得る。場合によっては、基地局１０５−ｄは、ネットワーク通信モジュール７７５を通してコアネットワーク１３０−ａと通信し得る。
【００８１】
[0099]基地局１０５−ｄはまた、基地局１０５−ｍおよび基地局１０５−ｎなど、他の基地局１０５と通信し得る。基地局１０５の各々は、異なる無線アクセス技術など、異なるワイヤレス通信技術を使用してＭ２Ｍデバイス１１５と通信し得る。場合によっては、基地局１０５−ｄは、基地局通信モジュール７３５を利用して１０５−ｍおよび／または１０５−ｎなどの他の基地局と通信し得る。いくつかの実施形態では、基地局１０５−ｄは、コントローラ１２０および／またはコアネットワーク１３０−ａを通して他の基地局と通信し得る。
【００８２】
[0100]メモリ７７０は、ランダムアクセスメモリ（ＲＡＭ）と読取り専用メモリ（ＲＯＭ）とを含み得る。メモリ７７０はまた、実行されたとき、本明細書で説明する様々な機能（たとえば、スロットマップ生成、ＡＣＫ方式、ページングメッセージのための動的データレート方式、フレキシブルページング方式、データトラフィック方式など）をプロセッサモジュール７６５に実行させるように構成された命令を含んでいるコンピュータ可読、コンピュータ実行可能ソフトウェアコード７７１を記憶し得る。代替的に、ソフトウェア７７１は、プロセッサモジュール７６５によって直接的に実行可能でないことがあるが、たとえば、コンパイルされ実行されたとき、本明細書で説明する機能をコンピュータに実行させるように構成され得る。
【００８３】
[0101]プロセッサモジュール７６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。トランシーバモジュール７５０は、Ｍ２Ｍデバイス１１５のためのパケットを変調し、変調されたパケットを送信のためにアンテナ７４５に与え、アンテナ７４５から受信されたパケットを復調するように構成されたモデムを含み得る。基地局１０５−ｄのいくつかの例は単一のアンテナ７４５を含み得るが、基地局１０５−ｄは、好ましくは、キャリアアグリゲーションをサポートし得るマルチプルなリンクのためのマルチプルなアンテナ７４５を含む。たとえば、Ｍ２Ｍデバイス１１５とのマクロ通信をサポートするために１つまたは複数のリンクが使用され得る。
【００８４】
[0102]図７のアーキテクチャによれば、基地局１０５−ｄは通信管理モジュール７３０をさらに含み得る。通信管理モジュール７３０は、他の基地局１０５との通信を管理し得る。例として、通信管理モジュール７３０は、バスを介して基地局１０５−ｄの他の構成要素の一部または全部と通信している基地局１０５−ｄの構成要素であり得る。代替的に、通信管理モジュール７３０の機能は、トランシーバモジュール７５０の構成要素として、コンピュータプログラム製品として、および／またはプロセッサモジュール７６５の１つまたは複数のコントローラ要素として実装され得る。
【００８５】
[0103]基地局１０５−ｄのための構成要素は、図６のデバイス６００に関して上記で説明した態様を実装するように構成され得、簡潔のためにここでは繰り返さないことがある。一実施形態では、基地局１０５−ｄは、図４Ｂおよび／または図６に示されたモジュール４４５の一例であり得る、共有トラフィックチャネルフォーマッティングモジュール４４５−ｂを含み得る。モジュール４４５−ｂはマップ生成モジュール７１０を含み得る。マップ生成モジュール７１０は、トラフィックチャネルサイクルの最初にある順方向リンクフレームのトラフィックスロット中にブロードキャストされるべきスロットマップを生成し得る。一構成では、マップ生成モジュール７１０は、データレート識別モジュール７１５と、端末識別モジュール７２０と、ハッシングモジュール７２５とを含み得る。
【００８６】
[0104]一構成では、データレート識別モジュール７１５は、データがその間にいくつかのデータレートで送信され得るトラフィックスロットを識別し得る。一実施形態では、モジュール７１５は、トラフィックチャネルサイクル中にデータがその間に高データレートおよび低データレートで送信されるトラフィックスロットの数を識別し得る。端末識別モジュール７２０は、高データレートでのそれらのデータを予想しているＭ２Ｍデバイス１１５の数と、トラフィックチャネルサイクル中に低データレートでそれらのデータを受信することを予想しているＭ２Ｍデバイス１１５の数とを識別し得る。データがその間に異なるデータレートで送信されるトラフィックスロットの数、ならびにこれらの異なるデータレートでのそれらのデータを予想しているＭ２Ｍデバイス１１５の識別された数は、マップ生成モジュール７１０によって生成されるスロットマップの一部として含まれ得る。ハッシングモジュール７２５は、マップ中に含まれる情報に対してハッシュ関数を使用し得る。マップを受信したＭ２Ｍデバイス１１５は、マップ中のデータを識別するために、対応するハッシュ関数を使用し得る。
【００８７】
[0105]いくつかの実施形態では、アンテナ７４５に結合されたトランシーバモジュール７５０は、基地局１０５−ｄの他の可能な構成要素とともに、トラフィックスロットをそれぞれ含むいくつかの順方向リンクフレームを、基地局１０５−ｄからＭ２Ｍデバイス１１５に、他の基地局１０５−ｍ／１０５−ｎ、またはコアネットワーク１３０−ａに送信し得る。スロットマップは、トラフィックチャネルサイクルの最初にある第１の順方向リンクフレームのトラフィックスロット中に送信され得る。
【００８８】
[0106]図８は、様々な実施形態による、逆方向リンク通信を管理するためのデバイス８００を示すブロック図である。デバイス８００は、図１、図２、図３Ａ、図３Ｂ、および／または図５Ａに関して説明したＭ２Ｍデバイス１１５の１つまたは複数の態様の一例であり得る。デバイス８００はプロセッサでもあり得る。デバイス８００は、受信機モジュール５０５−ａ、逆方向リンク通信モジュール５１０−ａ、および／または送信機モジュール５１５−ａを含み得る。逆方向リンク通信モジュール５１０−ａはスリープ状態モジュール５２０−ａを含み得る。スリープ状態モジュール５２０−ａは、図５Ｂに関して説明したモジュール５２０の一例であり得る。これらの構成要素の各々は互いに通信していることがある。
【００８９】
[0107]デバイス８００のこれらの構成要素は、ハードウェアにおいて適用可能な機能の一部または全部を実行するように適応された１つまたは複数の特定用途向け集積回路（ＡＳＩＣ）とともに、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９０】
[0108]受信機モジュール５０５−ａは、パケット、データ、および／またはデバイス８００が受信または送信したものに関するシグナリング情報などの情報を受信し得る。受信された情報は、様々な目的のために逆方向リンク通信モジュール５１０−ａによって利用され得る。送信機モジュール５１５−ａは、逆方向リンクフレーム中の逆方向リンク上でパケット、データ、および／またはシグナリング情報を送信し得る。逆方向リンクフレームは、トラフィックスロットを含み、制御情報がその間に送信され得る他のいかなる制御スロットも含まないことがある。トラフィックスロットは、逆方向リンク上でデータがその間に送信され得る２０ｍｓの長さを有し得る。
【００９１】
[0109]受信機モジュール５０５−ａは、順方向リンク上で基地局１０５から送られた順方向リンク物理レイヤパケットを受信するように構成され得る。一例では、受信機モジュール５０５−ａは、トラフィックサイクル中にトラフィックデータがいつ送信されるかを推定するためにデバイス８００によって使用され得るトラフィックスロットマップを受信し得る。スリープ状態モジュール５２０−ａは、Ｍ２Ｍデバイス１１５に、受信したトラフィックスロットマップを復調し、トラフィックデータがいつ送信されるかを決定した後に、スリープ状態に戻らせ、それの無線機をオフにさせ得る。たとえば、スリープ状態モジュール５２０−ａは、Ｍ２Ｍデバイス１１５に、マップを正常に復号し、復調し、サイクル中にデータがデバイス８００に送信されるフレームおよびトラフィックスロットを識別した後に、電源切断させ得る。
【００９２】
[0110]図９に、様々な実施形態による、電力の消費を管理するためのＭ２Ｍデバイス１１５−ｄのブロック図９００を示す。Ｍ２Ｍデバイス１１５−ｄは、上記で説明した様々なＭ２Ｍアプリケーションのためのセンサまたはモニタなど、様々な構成のいずれかを有し得る。Ｍ２Ｍデバイス１１５−ｄは、（１つまたは複数の）センサモジュール９４０を介して情報をキャプチャまたは検知し得る。Ｍ２Ｍデバイス１１５−ｄは、モバイル動作を可能にするために、小型バッテリーなどの内部電源を有し得る。いくつかの実施形態では、Ｍ２Ｍデバイス１１５−ｄは、図１、図２、図３Ａ、および／または図３Ｂに関して説明したＭ２Ｍデバイス１１５であり得る。Ｍ２Ｍデバイス１１５−ｄは、図５Ａのデバイス５００および／または図８のデバイス８００の態様を含み得る。Ｍ２Ｍデバイス１１５−ｄはマルチモードモバイルデバイスであり得る。Ｍ２Ｍデバイス１１５−ｄは、場合によっては、Ｍ２Ｍ  ＵＥまたはＭＴＣデバイスと呼ばれることがある。
【００９３】
[0111]Ｍ２Ｍデバイス１１５−ｄは、（１つまたは複数の）アンテナ９４５と、トランシーバモジュール９５０と、メモリ９８０と、プロセッサモジュール９７０とを含み得、その各々は、（たとえば、１つまたは複数のバスを介して）互いに直接または間接的に通信していることがある。トランシーバモジュール９５０は、上記で説明したように、（１つまたは複数の）アンテナ９４５および／または１つまたは複数のワイヤードリンクもしくはワイヤレスリンクを介して、１つまたは複数のネットワークと双方向に通信し得る。たとえば、トランシーバモジュール９５０は、図１、図２、図３Ａ、図３Ｂおよび／または図７の基地局１０５と双方向に通信し得る。さらに、トランシーバモジュール９５０は、図４Ａのデバイス４００および／または図６のデバイス６００の態様と通信し得る。トランシーバモジュール９５０は、パケットを変調し、変調されたパケットを送信のために（１つまたは複数の）アンテナ９４５に与え、（１つまたは複数の）アンテナ９４５から受信されたパケットを復調するように構成されたモデムを含み得る。Ｍ２Ｍデバイス１１５−ｄは単一のアンテナ９４５を含み得るが、Ｍ２Ｍデバイス１１５−ｄは、マルチプルな送信リンクのためのマルチプルなアンテナ９４５を含み得る。
【００９４】
[0112]メモリ９８０は、ランダムアクセスメモリ（ＲＡＭ）と読取り専用メモリ（ＲＯＭ）とを含み得る。メモリ９８０は、実行されるとプロセッサモジュール９７０に本明細書で説明する様々な機能（たとえば、パケットを受信する、スリープ状態に入るなど）を実行させるように構成された命令を含んでいるコンピュータ可読、コンピュータ実行可能ソフトウェアコード９８５を記憶し得る。代替的に、ソフトウェアコード９８５は、プロセッサモジュール９７０によって直接的に実行可能でないことがあるが、（たとえば、コンパイルされ実行されると）コンピュータに本明細書で説明する機能を実行させるように構成され得る。プロセッサモジュール９７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、ＡＳＩＣ、マイクロコントローラなどを含み得る。
【００９５】
[0113]図９のアーキテクチャによれば、Ｍ２Ｍデバイス１１５−ｄは通信管理モジュール９６０をさらに含み得る。通信管理モジュール９６０は、基地局１０５および／または他のＭ２Ｍデバイス１１５との通信を管理し得る。例として、通信管理モジュール９６０は、バスを介してＭ２Ｍデバイス１１５−ｄの他の構成要素の一部または全部と通信しているＭ２Ｍデバイス１１５−ｄの構成要素であり得る。代替的に、通信管理モジュール９６０の機能は、トランシーバモジュール９５０の構成要素として、コンピュータプログラム製品として、および／またはプロセッサモジュール９７０の１つまたは複数のコントローラ要素として実装され得る。
【００９６】
[0114]いくつかの実施形態では、Ｍ２Ｍデバイス１１５−ｄは、ネットワーク上への明示的登録を実行することなしに、データを測定および／またはキャプチャし、そのデータをネットワークに送信し得る。一実施形態では、Ｍ２Ｍデバイス１１５−ｄは、基地局またはネットワークセルに明示的に登録することなしに、利用可能な基地局またはネットワークセルのパイロット信号を監視し、通信のために基地局またはネットワークセルを選択し得る。いくつかの構成では、選択された基地局またはネットワークセル上に明示的に登録されていないが、Ｍ２Ｍデバイス１１５−ｄは、選択された基地局またはネットワークセルについてのシステム情報を監視し得る。選択された基地局またはネットワークセルについてのシステム情報は明示的登録トリガを含み得、Ｍ２Ｍデバイス１１５−ｄは、明示的登録トリガのうちの１つが検出されたときでも、ネットワーク上への明示的登録を抑制し得る。たとえば、Ｍ２Ｍデバイス１１５−ｄは、デバイス電源投入／電源切断、周波数／帯域クラス変化など、１つまたは複数の登録トリガに基づく登録、時間期間に基づく登録、移動に基づく登録、ゾーンに基づく登録、および／またはパラメータ変化に基づく登録を抑制し得る。
【００９７】
[0115]システム情報は、選択された基地局またはネットワークセルにアクセスする際に使用するアクセスパラメータを含み得る。Ｍ２Ｍデバイス１１５−ｄは、選択された基地局またはネットワークセル上への明示的登録の前に、または該明示的登録を実行することなしに、（たとえば、（１つまたは複数の）センサモジュール９４０を介して）イベントに関係する情報をキャプチャまたは測定し、ネットワークアクセスの一部として、その情報を選択された基地局またはネットワークセルに送信し得る。ネットワークアクセスは、アクセスパラメータのうちの１つまたは複数を使用して実行され得る。Ｍ２Ｍデバイス１１５−ｄは、選択された基地局またはネットワークセルにキャプチャまたは測定されたイベントデータを送信するネットワークアクセスの一部として、選択された基地局またはネットワークセルによって暗黙的に登録され得る。
【００９８】
[0116]登録を抑制することはまた、Ｍ２Ｍデバイス１１５−ｄが、ターゲットセルに登録する際に受ける電力ペナルティを顧慮せずに、送信のために最良のネットワークセルを選択することを可能にし得る。たとえば、Ｍ２Ｍデバイス１１５−ｄは、（新しいネットワーク上への明示的登録を伴う）明示的ハンドオーバを実行することによって受けるであろう電力ペナルティを考慮することなしに、それぞれのネットワークとの通信のための推定電力消費に基づいて、利用可能なネットワーク間で選択し得る。
【００９９】
[0117]Ｍ２Ｍデバイス１１５−ｄのための構成要素は、図５Ａのデバイス５００および／または図８のデバイス８００に関して上記で説明した態様を実装するように構成され得、簡潔のためにここでは繰り返さない場合がある。一例では、Ｍ２Ｍデバイス１１５−ｄは、図５Ａおよび／または図８のスリープ状態モジュールの一例であり得る、スリープ状態モジュール５２０−ｂを含み得る。スリープ状態モジュール５２０−ａはマップ分析モジュール９０５を含み得る。モジュール９０５は、トラフィックチャネルサイクルの最初にある順方向リンクフレームのトラフィックスロット中に受信されたスロットマップを分析し得る。分析モジュール９０５は、トラフィックデータがＭ２Ｍデバイス１１５−ｄにいつ送信されるか（どのスロットおよびフレームか）を（マップ中の情報から）決定し得る。分析に基づいて、デバイス１１５−ｄは、識別されたスロットまでスリープ状態に戻り、次いで、トラフィックデータを受信するために起動し得る。一実施形態では、分析モジュール９０５は、データがその間に第１のデータレート、第２のデータレートなどで基地局１０５から送信されるサイクルのスロットの数を決定するためにマップを分析することによって、トラフィックデータが送信されるときを推定し得る。さらに、モジュール９０５は、第１のデータレート、第２のデータレートなどでそれらのトラフィックデータを受信することを予想しているＭ２Ｍデバイスの数を決定するためにマップを分析し得る。スロットマップ中で与えられたこの情報を使用して、マップ分析モジュール９０５は、Ｍ２Ｍデバイス１１５−ｄに宛てられたトラフィックデータがいつ送信されるかを推定し得る。一構成では、別のＭ２Ｍデバイスのためのトラフィックデータも、分析モジュール９０５によって識別されたスロット中に送信され得る。その結果、推定されたスロット中に送信が開始したとき、Ｍ２Ｍデバイス１１５−ｄは、Ｍ２Ｍデバイス１１５−ｄに宛てられたデータの部分を識別するために、推定されたスロット中で送信されているデータに対してハッシング関数を使用し得る。
【０１００】
[0118]図１０Ａは、様々なシステムおよび方法による、トラフィックチャネルサイクル１０００の一実施形態を示すブロック図である。サイクル中に、マルチプルな順方向リンクフレーム１０５０が順方向リンク３２５上で基地局１０５から１つまたは複数のＭ２Ｍデバイス１１５に送信され得る。各順方向リンクフレーム１０５０は１つまたは複数のタイムスロットを含み得る。一例では、各フレーム１０５０は、ページングスロット１００５と、ＡＣＫスロット１０１０と、トラフィックスロット１０１５とを含み得る。ページングスロット１００５中に、ページングメッセージが１つまたは複数のＭ２Ｍデバイス１１５に送信され得る。ＡＣＫスロット１０１０中に、基地局１０５は、基地局１０５が逆方向リンク上で送信されたデータを正常に復号し、復調したことを示す、ＡＣＫメッセージを送信し得る。
【０１０１】
[0119]一構成では、トラフィックデータがフレームのトラフィックスロット１０１５中に送信され得る。サイクルの第１の順方向リンクフレーム１０５０−ａ−１の第１のトラフィックスロット１０１５−ａ−１中に、トラフィックスロットマップ１０２０が物理レイヤにおいてブロードキャストされ得る。一構成では、スロットマップ１０２０は、トラフィックチャネル上で最も低い可能なデータレートでブロードキャストされ得る。現在のサイクル中にデータを受信することを予想している各Ｍ２Ｍデバイス１１５は、第１のトラフィックスロット１０１５−ａ−１を監視するために起動し得る。各Ｍ２Ｍデバイス１１５−ｄは、以前に基地局からページングメッセージを受信したことによって、基地局１０５がトラフィックチャネルサイクル中にトラフィックデータを送信していることに気づいていることがある。
【０１０２】
[0120]ブロードキャストされたマップ１０２０を受信すると、各Ｍ２Ｍデバイス１１５は、それらのデータが基地局１０５からいつ送信されるか（サイクルのどのフレームか）を推定し得る。これは、各Ｍ２Ｍデバイス１１５が、それらのデータが送信されるまで、各フレームの各トラフィックスロットを監視するためにアウェイクモードにとどまる代わりに、電力を節約するためにスリープ状態に戻ることを可能にし得る。一例では、サイクル中に、トラフィックデータ１０２５、１０３０、１０３５、１０４０、および１０４５が送信され得、５つの異なるＭ２Ｍデバイス１１５に宛てられ得る。サイクルの最初に、５つのデバイス１１５の各々は、トラフィックスロットマップ１０２０を受信するために、第１のトラフィックスロット１０１５−ａ−１を監視するために起動し得る。マップ１０２０を使用して、第１のＭ２Ｍデバイスは、それのデータ１０２５が第２の順方向リンクフレーム１０５０−ａ−２の第２のトラフィックスロット１０１５−ａ−２の少なくとも一部分中に送信されると推定し得る。第２のＭ２Ｍデバイスも、マップ１０２０を使用して、それのデータ１０３０が第２の順方向リンクフレーム１０５０−ａ−２の第２のトラフィックスロット１０１５−ａ−２中に同じく送信されると推定し得る。第３、第４、および第５のＭ２Ｍデバイスは、それらのそれぞれのデータ１０３５、１０４０、および１０４５がサイクルのｎ番目の順方向リンクフレーム１０５０−ａ−ｎのｎ番目のトラフィックスロット１０１５−ａ−ｎ中に送信されると推定し得る。マップ１０２０を使用してデータがいつ送信されるかを推定すると、各Ｍ２Ｍデバイス１１５はスリープモードに戻り得る。
【０１０３】
[0121]一実施形態では、第１および第２のＭ２Ｍデバイスは、第２のフレーム１０５０−ａ−２が送信されているときに起動し得る。これらのデバイスは、第２のトラフィックスロット１０１５−ａ−２中に共有トラフィックチャネルを監視するために、それらの無線機をオンにし得る。一構成では、どのスロットについて起動し、監視すべきか（たとえば、第２のトラフィックスロット１０１５−ａ−２）を決定するために、ハッシング関数がデバイスによって使用され得る。起動すると、各デバイスは、スロット中で送信されたデータパケットを復号し、復調し得る。各デバイスは、復号され、復調されたデータパケット内のそれらの特定のデータを認識するために、ある特定のＩＤを使用し得る。
【０１０４】
[0122]一例では、第３、第４、および第５のＭ２Ｍデバイスは、ｎ番目のフレーム１０５０−ａ−ｎが送信されるまで、スリープ状態にとどまり得る。このフレーム１０５０−ａ−ｎが送信されるとき、Ｍ２Ｍデバイスは、フレームのトラフィックスロット１０１５−ａ−ｎを監視するためにアウェイクモードに入り得る。図示のように、これらのデバイスの各々のためのデータ１０３５、１０４０、および１０４５を含むデータパケットは、ｎ番目のトラフィックスロット中に送信され得る。各デバイスは、トラフィックスロット１０１５−ａ−ｎ中に起動することを決定するためにハッシング関数を適用し得る。さらに、各デバイスは、データパケットを復号し、復調し、特定のＩＤを使用して、それらに宛てられたパケットの特定のデータ１０３５、１０４０、および１０４５を識別し得る。
【０１０５】
[0123]一例として、トラフィックサイクルは２秒の長さであり得る。サイクルの一部分は順方向リンク通信に割り振られ得、残りの部分は逆方向リンク通信に割り振られ得る。この例では、順方向リンク通信に１秒が割り振られ得、逆方向リンク通信に１秒が割り振られ得る。したがって、順方向リンク通信のための１秒により、持続時間がそれぞれ２０ｍｓである、５０個の順方向リンクフレーム１０５０が送信されることになり得る。各フレームのためのトラフィックスロット１０１５は１０ｍｓの長さを有し得る。従来の通信システムでは、Ｍ２Ｍデバイスがデータを予想しているとき、デバイスは、デバイスがそれのデータを受信するまで、各フレーム１０５０の各トラフィックスロット１０１５を監視するために起動する必要があり得る。Ｍ２Ｍデバイスのためのデータがサイクルの最後のトラフィックスロット（たとえば、第５０のスロット）中に送信される場合、Ｍ２Ｍデバイスは、最初の４９個のフレーム１０５０の４９個のトラフィックスロット１０１５を監視するために不必要に起動している。トラフィックチャネルサイクル中のＭ２Ｍデバイスの起動時間を最小限に抑えるための本方法およびシステムについて説明する。トラフィックサイクルの最初にスロットマップ１０２０をブロードキャストすることによって、Ｍ２Ｍデバイスは、Ｍ２Ｍデバイスがそれらのデータを識別するまで、サイクル中に送信される各フレームの各トラフィックスロットを監視するためにアウェイクモードにとどまる必要がない。これは、各Ｍ２Ｍデバイスが、サイクル中にそれらデバイスがアウェイクモードにある時間の量を最小限に抑えることによって、それの電力およびリソースを節約することを可能にする。
【０１０６】
[0124]一実施形態では、異なるトラフィックスロット中に送信される異なるＭ２Ｍデバイスのためのデータは、異なるデータレートで送信され得る。たとえば、第２のトラフィックスロット１０１５−ａ−２中に送信されるデータ（たとえば、データ１０２５および１０３０）は第１のデータレートで送信され得るが、ｎ番目のトラフィックスロット１０１５−ａ−ｎ中に送信されるデータ（たとえば、データ１０３５、１０４０、および１０４５）は第２のデータレートで送信され得る。一構成では、同じトラフィックスロット中に送信される異なるデータが同じデータレートで送信され得、または異なるデータが同じトラフィックスロット中に異なるデータレートで送信され得る。一実施形態では、Ｍ２Ｍデバイス１１５−ｄは、Ｍ２Ｍデバイス１１５−ｄがそれのデータを受信することができるデータレートに気づいていることがある。一実施形態では、トラフィックスロットマップ１０２０は、データがその間に第１のデータレート、第２のデータレート、第３のデータレートなどで送信される現在のサイクルのトラフィックスロットの数を示し得る。この情報を使用して、各Ｍ２Ｍデバイスは、データがその間にそれの予想されるデータレートで送信されるスロットの数に基づいて、それのデータが送信されることになるスロットを推定し得る。
【０１０７】
[0125]一実施形態では、サイクル中にそれらのデータを受信することを予想しているＭ２Ｍデバイスは、次のサイクル中にデータを受信することを予想しているＭ２Ｍデバイスと同じでないことがある。その結果、Ｍ２Ｍデバイスの異なるグループが、各サイクルの最初にトラフィックマップ１０２０について第１のトラフィックスロット１０１５−ａ−１を監視するために起動し得る。Ｍ２Ｍデバイスの事前に決められたグルーピングを回避することによって、通信リソースおよび他のオーバーヘッドが低減され得る。したがって、それらのデータを受信することを予想しているＭ２Ｍデバイスグループは、いずれかの所与のトラフィックチャネルサイクルのためのアドホックグループであり得る。一構成では、マップ１０２０は、後続の各トラフィックチャネルサイクル中に動的に変わり得る。その結果、Ｍ２Ｍデバイスは、第１のサイクル中にいつ起動すべきかを推定するためにマップ１０２０を使用し得るが、デバイスは、第２のサイクル中に起動すべき異なる時間を推定するために、そのサイクルの最初にブロードキャストされるマップ１０２０を使用し得る。
【０１０８】
[0126]図１０Ｂは、様々なシステムおよび方法による、トラフィックチャネルサイクル１０５５の別の実施形態を示すブロック図である。サイクル１０５５中に、複数の順方向リンクフレーム１０５０−ｂが順方向リンク上で送信され得る。フレーム１０５０−ｂは、図１０Ａに示されたフレーム１０５０−ａの例であり得る。各フレームは、メッセージ、データパケット、シグナリング情報などがその間にＭ２Ｍデバイスに送信され得る、１つまたは複数のスロットを含み得る。以上で説明したように、各フレーム１０５０−ｂは、ページングスロット１００５−ｂと、ＡＣＫスロット１０１０−ｂと、トラフィックスロット１０１５−ｂとを含み得る。トラフィックスロットマップ１０２０−ａは、第１の順方向リンクフレーム１０５０−ｂ−１の第１のトラフィックスロット１０１５−ｂ−１中に送信され得る。マップ１０２０−ａは、Ｍ２Ｍデバイスが、それらのそれぞれのデータがサイクル中にいつ送信されるかを推定することを可能にし得る。
【０１０９】
[0127]一構成では、第１のＭ２Ｍデバイスに宛てられたトラフィックデータ１０２５は、サイクルの第２のフレーム１０５０−ｂ−２中に送信され得る。しかしながら、データ１０２５は、単一のトラフィックスロット１０１５−ｂ−２中に送信されるには大きすぎることがある。ポインタ１０６０が、スロット１０１５−ｂ−２中に送信されるために挿入され得る。ポインタ１０６０は、トラフィックデータ１０２５の残りの部分がその間に送信される別のフレーム１０５０−ｂ−ｎの別のスロット１０１５−ｂ−ｎを指し得る。
【０１１０】
[0128]一実施形態では、ポインタ１０６０は、Ｍ２Ｍデバイスに宛てられたデータなしにトラフィックスロット１０１５−ｂ−２中に挿入され得る。その結果、Ｍ２Ｍデバイスは、サイクルの第１のトラフィックスロット１０１５−ｂ−１中にブロードキャストされるマップ１０２０−ａを受信するためにそれの無線機をオンにし得る。デバイスは、マップ１０２０−ａから、それのデータがサイクルの第２のスロット１０１５−ｂ−２中に送信されると推定し得る。デバイスは、第２のスロットまでそれの無線機をオフにし得る。第２のスロット中に、無線機は、スロットを監視するためにオンに戻され得る。第２のスロット１０１５−ｂ−２中にデータを受信する代わりに、ポインタ１０６０は、Ｍ２Ｍデバイスにサイクル中の後のトラフィックスロットを指し示し得る。デバイスは、次いで、それの無線機を、この後のスロットまで再びオフにし得、そのスロットの時間において無線機はオンに戻され得、デバイスは、データパケット、別のポインタ、または、データの一部分とデータの別の部分が送信される将来のスロットを示す別のポインタとの組合せのいずれかを受信し得る。ポインタ１０６０は、マルチプルなＭ２Ｍデバイスの間で共有される共有トラフィックチャネル上で送信され得る。
【０１１１】
[0129]図１１は、様々な実施形態による、スロットマップ１０２０−ｂの一例を示すブロック図である。スロットマップ１０２０−ｂは、図１０Ａおよび／または図１０Ｂのマップ１０２０の一例であり得る。一構成では、マップ１０２０−ｂは様々なタイプの情報を含み得る。マップ１０２０−ｂは、データがその間に第１のデータレートで送信されるスロットの数１１０５を示す情報を含み得る。スロットマップ１０２０−ｂはまた、データがその間に第２のデータレートで送信されるスロットの数１１１０を示し得る。図示されたマップ１０２０−ｂは、データがその間に第１および第２のデータレートで送信されるトラフィックサイクルのスロットの数を示しているが、マップ１０２０−ｂは、データがその間に追加のデータレートで送信されるサイクルのスロットの数を示し得ることを理解されたい。さらに、マップ１０２０−ｂは、第１のデータレートでそれらのデータを受信する端末（すなわち、Ｍ２Ｍデバイス）の数１１１５、ならびに第２のデータレートでそれらのデータを受信する端末の数１１２０を示す情報を含み得る。スロットマップ１０２０−ｂは、１つまたは複数のハッシングパラメータ１１２５をさらに含み得る。ハッシングパラメータ１１２５は、スロットマップ１０２０−ｂを受信するＭ２Ｍデバイス１１５ごとにマップ１０２０−ｂ中の情報をハッシングするために、ハッシング関数によって使用され得る。
【０１１２】
[0130]以上で説明したように、スロットマップ１０２０−ｂは、トラフィックチャネルサイクルの最初にある第１の順方向リンクフレームのトラフィックスロット中に送信され得る。マップ１０２０−ｂは、サイクル中にトラフィックデータを受信することを予想している各Ｍ２Ｍデバイス１１５にブロードキャストされ得る。各デバイス１１５は、それがトラフィックデータを受信することが可能であるデータレートに気づいていることがある。サイクルの最初にマップを受信することによって、Ｍ２Ｍデバイスは、それらの所望のデータレートでデータを送信することになる現在のサイクル中のトラフィックスロットの数、ならびにそのデータレートでそれらのデータを受信することを予想しているＭ２Ｍデバイスの数に気づき得る。この情報は、各Ｍ２Ｍデバイスが、それらのデータがサイクル中にいつ送信されるかを推定するのを支援し得る。その結果、Ｍ２Ｍデバイスは、それらのデータを取り出すために、サイクルの推定された時間中にのみ起動し得る。
【０１１３】
[0131]一構成では、一例として２秒トラフィックチャネルサイクルを使用すると、第１のＭ２Ｍデバイスは２０ｋｂｐｓのデータレートでのデータを予想していることがある。第１のＭ２Ｍデバイスは、トラフィックスロットマップ１０２０−ｂを受信するために、サイクルの第１のトラフィックスロット中に起動し得る。マップは、データがその間に１０ｋｂｐｓで送信されるこのサイクル中のトラフィックスロットの数を明らかにし得る。マップはまた、データがその間に２０ｋｂｐｓで送信されるトラフィックスロットの数を明らかにし得る。さらに、マップは、１５個のＭ２Ｍデバイスが２０ｋｂｐｓでそれらのデータを予想していることを示し得る。マップを受信した後に、第１のＭ２Ｍデバイスは、データが１０ｋｂｐｓでトラフィックチャネル中で送信されているトラフィックスロット中にスリープモードに戻り得る。デバイスは、デバイスＩＤ、スロットの数、およびそのデータレートでのユーザの数に対して動作するハッシング関数によってマッピングされた、データが２０ｋｂｐｓで送信されている、トラフィックスロット中に起動し得る。一例では、トラフィックチャネルは、それらのデータを２０ｋｂｐｓで受信することを予想している他のＭ２Ｍデバイスの一部または全部の間で共有され得る。第１のＭ２Ｍデバイスは、第１のＭ２Ｍデバイスが、それについて起動する必要があるスロットを識別するために、それのＩＤ、スロットの数、およびそのデータレートでのユーザの数に対してハッシュ関数を使用し、それのＩＤを使用してスロット内のそれのデータの位置を特定し得る。第１のデバイスのデータを受信した後に、第１のデバイスはスリープ状態に戻り得る。
【０１１４】
[0132]したがって、トラフィックスロットマップ１０２０−ｂの使用は、Ｍ２Ｍデバイスが、それのデータについてトラフィックチャネルを監視するために各トラフィックスロット中にアウェイクモードにとどまる必要をなくし得る。代わりに、Ｍ２Ｍデバイスは、データがＭ２Ｍデバイスによって予想されたデータレートでトラフィックチャネル上で送信されているときのみ起動し得る。
【０１１５】
[0133]図１２は、Ｍ２Ｍデバイスのそれぞれのトラフィックデータが順方向リンク上でいつ送信されるかをＭ２Ｍデバイスが推定することを支援するトラフィックスロットマップを使用して順方向リンク通信を管理することによってＭ２Ｍデバイスの電力を節約するための方法１２００の一例を示すフローチャートである。明快のために、方法１２００について、図１、図２、図３Ａ、図３Ｂ、図４Ａ、図６、または図７に示された基地局１０５に関して以下で説明する。一実装形態では、共有トラフィックチャネルフォーマッティングモジュール４４５は、以下で説明する機能を実行するように基地局１０５の機能要素を制御するためのコードの１つまたは複数のセットを実行し得る。
【０１１６】
[0134]ブロック１２０５において、トラフィックスロットマップを生成する。マップは、１つまたは複数の第１のタイムスロットと、１つまたは複数の第２のタイムスロットとを識別し得る。一構成では、１つまたは複数の第１のタイムスロット中に、第１のデータが第１のデータレートで基地局から１つまたは複数のＭ２Ｍデバイスに送信され得る。１つまたは複数の第２のタイムスロット中に、第２のデータが第２のデータレートで基地局から１つまたは複数のＭ２Ｍデバイスに送信され得る。第２のデータレートは第１のデータレートとは異なり得る。
【０１１７】
[0135]ブロック１２１０において、１つまたは複数のＭ２Ｍデバイスにトラフィックスロットマップをブロードキャストする。１つまたは複数のＭ２Ｍデバイスは、後続のトラフィックチャネルサイクルごとに変わり得るデバイスのアドホックグループであり得る。マップは、現在のトラフィックチャネルサイクルの最初にブロードキャストされ得る。一例では、複数のＭ２Ｍデバイス１１５は、現在のトラフィックチャネルサイクル中にトラフィックデータを受信することを予想しているデバイスであり得る。複数のＭ２Ｍデバイス１１５は、マップを使用して、それらのそれぞれのデータがサイクル中にいつ送信されるかを決定し得る。デバイス１１５は、それらのデータが送信されるサイクル中の推定時間までスリープ状態に戻り得る。
【０１１８】
[0136]したがって、方法１２００は、順方向リンク上での通信を管理することによって、Ｍ２Ｍデバイスの電源の効率的な管理を実現し得る。方法１２００は一実装形態にすぎないこと、および方法１２００の動作は、他の実装形態が可能であるように、並べ替えられるかまたは場合によっては変更され得ることに留意されたい。
【０１１９】
[0137]図１３は、トラフィックチャネルサイクルの最初にトラフィックスロットマップをブロードキャストすることによってＭ２Ｍデバイスの電力を節約するための方法１３００の一例を示すフローチャートである。明快のために、方法１３００について、図１、図２、図３Ａ、図３Ｂ、図４Ａ、図６、または図７に示された基地局１０５に関して以下で説明する。一実装形態では、共有トラフィックチャネルフォーマッティングモジュール４４５は、以下で説明する機能を実行するように基地局１０５の機能要素を制御するためのコードの１つまたは複数のセットを実行し得る。
【０１２０】
[0138]ブロック１３０５において、第１の順方向リンクフレームを識別する。第１の順方向リンクフレームは、トラフィックチャネルサイクル中に順方向リンク上で送信される第１のフレームであり得る。ブロック１３１０において、トラフィックスロットマップをトラフィックチャネル中に挿入する。トラフィックチャネルは、識別された第１の順方向リンクフレームのトラフィックスロット中にデータを搬送するために使用され得る。トラフィックチャネルは、トラフィックチャネルサイクル中にデータを受信することを予想している各Ｍ２Ｍデバイスによって共有され得る。
【０１２１】
[0139]ブロック１３１５において、第２の順方向リンクフレームのトラフィックスロットのトラフィックチャネル中に第１のデータを挿入し、ブロック１３２０において、第３の順方向リンクフレームのトラフィックスロットのトラフィックチャネル中に第２のデータを挿入する。第１のデータは第１のＭ２Ｍデバイスに宛てられ得るが、第２のデータは第２のＭ２Ｍデバイスに宛てられ得る。代替的に、第１のデータと第２のデータは、同じトラフィックスロット中にデータを搬送するために使用される同じトラフィックチャネル中に挿入され得る。
【０１２２】
[0140]ブロック１３２５において、識別された第１の順方向リンクフレームのトラフィックスロット中のトラフィックチャネル中でトラフィックスロットマップをブロードキャストする。一実施形態では、マップは、サイクル中に第１および第２のデータがその間に送信されるフレームおよびトラフィックスロットを識別し得る。ブロック１３３０において、スロットマップによって識別されたトラフィックスロット中に第１および第２のデータを送信する。第１および第２のデータは、トラフィックスロットマップのブロードキャストの後に送信され得る。第１および第２のデータは、同じデータレートでまたは異なるデータレートで送信され得る。さらに、第１および第２のデータは、同じ順方向リンクフレームの同じトラフィックスロット中に、または異なるフレームの異なるスロット中に送信され得る。したがって、Ｍ２Ｍデバイスは、サイクルの最初にブロードキャストされたマップを受信することによって、それらのデータがサイクル中にいつ送信されるかに気づき得る。
【０１２３】
[0141]したがって、方法１３００は、データが異なるデータレートでいつ送信されるかを示すトラフィックスロットマップを生成することによって、Ｍ２Ｍデバイスの電力および他のリソースを節約することを実現し得る。方法１３００は一実装形態にすぎないこと、および方法１３００の動作は、他の実装形態が可能であるように、並べ替えられるかまたは場合によっては変更され得ることに留意されたい。
【０１２４】
[0142]図１４は、Ｍ２Ｍデバイスのデータがサイクル中にいつ送信されるかをＭ２Ｍデバイスが決定することを支援するために、トラフィックサイクルの最初にデバイスに情報をブロードキャストするための方法１４００の一例を示すフローチャートである。明快のために、方法１４００について、図１、図２、図３Ａ、図３Ｂ、図４Ａ、図６、または図７に示された基地局１０５に関して以下で説明する。一実装形態では、共有トラフィックチャネルフォーマッティングモジュール４４５は、以下で説明する機能を実行するように基地局１０５の機能要素を制御するためのコードの１つまたは複数のセットを実行し得る。
【０１２５】
[0143]ブロック１４０５において、トラフィックチャネルサイクルの開始時に送信される第１の順方向リンクフレームを識別する。ブロック１４１０において、トラフィックスロットマップを、フレームのトラフィックスロット中に送信されるためにトラフィックチャネル中に挿入する。ブロック１４１５において、第２の順方向リンクフレームのトラフィックスロットを識別する。第２の順方向リンクフレームは、第１の順方向リンクフレームの送信が行われた後のサイクル中に送信され得る。
【０１２６】
[0144]ブロック１４２０において、第２のフレームのトラフィックスロットの長さがデータパケットを送信するのに十分であるかどうかに関する決定を行う。たとえば、トラフィックスロットの長さは１０ｍｓであり得る。データパケットのサイズが、１０ｍｓスロット中の完全なパケットの送信を可能にするのに十分に小さい場合、ブロック１４２５において、完全なデータパケットを、トラフィックスロット中に送信されるためにトラフィックチャネル中に挿入する。しかしながら、データパケットが、トラフィックスロット中に完全に送信されるには大きすぎる場合、ブロック１４３０において、ポインタを、スロット中に送信されるためにトラフィックチャネル中に挿入する。ポインタは、第２の順方向リンクフレームの送信の後に送信される追加の順方向リンクフレームの追加のトラフィックスロットを識別し得る。一例では、データパケットの一部分が、ポインタとともにトラフィックチャネル中にさらに挿入され得る。別の例では、ポインタは、データパケットの一部分の挿入なしにトラフィックチャネル中に挿入され得る。
【０１２７】
[0145]ブロック１４３５において、データパケットの全部または一部分を、追加のフレームの追加のスロット中に送信されるためにトラフィックチャネル中に挿入する。一例では、追加のスロットの長さがデータパケットの部分の送信を可能にするのに十分でない場合、サイクル中にデータパケットの別の部分がその間に送信される別のスロットを指すために、追加のポインタがトラフィックチャネル中に挿入され得る。その結果、順方向リンクフレームのトラフィックスロット中に、完全なデータパケット、データパケットの一部分、ポインタ、またはそれらの任意の組合せが順方向リンク上で送信され得る。
【０１２８】
[0146]ブロック１４４０において、識別された第１のフレームのトラフィックスロット中のトラフィックチャネル中でトラフィックスロットマップをブロードキャストする。前に説明したように、マップは、データまたはポインタがその間に送信される追加のフレームのトラフィックスロットを識別し得る。ブロック１４４５において、追加の順方向リンクフレームを送信する。追加のフレームの送信は、マップのブロードキャストが完了した後に行われ得る。
【０１２９】
[0147]したがって、方法１４００は、パケットがいつ送信されるかを示す第１のブロードキャスト情報によって、データパケットの効率的な送信を実現し得る。方法１４００は一実装形態にすぎないこと、および方法１４００の動作は、他の実装形態が可能であるように、並べ替えられるかまたは場合によっては変更され得ることに留意されたい。
【０１３０】
[0148]図１５は、トラフィックチャネルサイクル中にトラフィックデータが送信されるまでスリープ状態にとどまることによってＭ２Ｍデバイスの電源を管理するための方法１５００の一例を示すフローチャートである。明快のために、方法１５００について、図１、図２、図３Ａ、図３Ｂ、図５Ａ、図８、および／または図９に示されたＭ２Ｍデバイス１１５に関して以下で説明する。一実装形態では、マップ分析モジュール９０５は、以下で説明する機能を実行するようにＭ２Ｍデバイス１１５の機能要素を制御するためのコードの１つまたは複数のセットを実行し得る。
【０１３１】
[0149]ブロック１５０５において、Ｍ２Ｍデバイス１１５は、トラフィックスロットマップを受信するためにアウェイクモードに入る。マップは、第１の順方向リンクフレーム内の第１のトラフィックスロット中に受信され得る。フレームは、トラフィックチャネルサイクルの最初に送信され得る。一例では、順方向リンクフレームは、サイクル中に送信される第１のフレームであり得る。
【０１３２】
[0150]ブロック１５１０において、Ｍ２Ｍデバイスに宛てられたトラフィックデータがその間に送信されるべきである第２の順方向リンクフレーム内の第２のトラフィックスロットを識別するために、トラフィックスロットマップを分析する。第２の順方向リンクフレームは、第１の順方向リンクフレームの送信の後に送信され得る。ブロック１５１５において、Ｍ２Ｍデバイス１１５はスリープ状態に入る。ブロック１５２０において、第２の順方向リンクフレーム内の第２のトラフィックスロットが、データが予想される場所であるかどうかに関する決定を行う。第２のトラフィックスロットがＭ２Ｍデバイス１１５のデータのための予想されるスロットでない場合、Ｍ２Ｍデバイス１１５はスリープ状態にとどまり得る。しかしながら、第２のトラフィックスロットが予想されるスロットであると決定された場合、ブロック１５２５において、Ｍ２Ｍデバイス１１５は、第２のトラフィックスロット中にトラフィックデータを受信し、復調するために、アウェイクモードに入る。
【０１３３】
[0151]したがって、方法１５００は、Ｍ２Ｍデバイス１１５が、デバイスに宛てられたデータパケットが送信されるまで、トラフィックサイクル中にスリープ状態にとどまることを可能にすることによって、デバイスの電力の効率的な管理を実現し得る。方法１５００は一実装形態にすぎないこと、および方法１５００の動作は、他の実装形態が可能であるように、並べ替えられるかまたは場合によっては変更され得ることに留意されたい。
【０１３４】
[0152]本明細書で説明した技法は、Ｍ２Ｍシステム、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の技術など、ワイヤレスシステムにおける多元接続のための様々な無線通信技術を採用し得る。概して、ワイヤレス通信は、無線アクセス技術（ＲＡＴ：Radio Access Technology）と呼ばれる１つまたは複数の無線通信技術の規格化された実装形態に従って行われる。無線アクセス技術を実装するワイヤレス通信システムまたはネットワークは無線アクセスネットワーク（ＲＡＮ：Radio Access Network）と呼ばれることがある。
【０１３５】
[0153]添付の図面に関して上記に記載した詳細な説明は、例示的な実施形態について説明しており、実装され得るかまたは特許請求の範囲内に入る唯一の実施形態を表すものではない。この明細書全体にわたって使用する「例示的」という用語は、「例、事例、または例示の働きをすること」を意味し、「好ましい」または「他の実施形態よりも有利な」を意味しない。詳細な説明は、説明した技法の理解を与えるための具体的な詳細を含む。ただし、これらの技法は、これらの具体的な詳細なしに実施され得る。場合によっては、説明した実施形態の概念を不明瞭にしないように、よく知られている構造およびデバイスがブロック図の形式で示されている。
【０１３６】
[0154]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３７】
[0155]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、マルチプルなマイクロプロセッサ、ＤＳＰコアと連携する１つまたは複数のマイクロプロセッサ、あるいは任意の他のそのような構成としても実装され得る。
【０１３８】
[0156]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３９】
[0157]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１４０】
[0158]本開示についての以上の説明は、当業者が本開示を作成または使用することができるように提供したものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示した原理および新規の特徴に合致する最も広い範囲を与えられるべきである。
以下に、出願当初の特許請求の範囲に記載された発明を付記する。
［Ｃ１］
マシンツーマシン（Ｍ２Ｍ）ワイヤレスワイドエリアネットワーク（ＷＡＮ）におけるワイヤレス通信のための方法であって、
トラフィックスロットマップを生成することと、ここにおいて、前記トラフィックスロットマップは、第１のタイムスロットと第２のタイムスロットとを識別し、前記第１のタイムスロット中に、第１のデータが第１のデータレートで基地局から１つまたは複数のＭ２Ｍデバイスに送信され、前記第２のタイムスロット中に、第２のデータが第２のデータレートで前記基地局から１つまたは複数のＭ２Ｍデバイスに送信される、
１つまたは複数のＭ２Ｍデバイスに前記トラフィックスロットマップをブロードキャストすることと
を備える、方法。
［Ｃ２］
前記トラフィックスロットマップをブロードキャストすることは、
第１の順方向リンクフレームのトラフィックスロットのトラフィックチャネル中に前記トラフィックスロットマップを挿入することと、ここにおいて、前記第１の順方向リンクフレームはトラフィックサイクルの最初にある、
前記第１の順方向リンクフレームの前記トラフィックスロット中に前記トラフィックスロットマップをブロードキャストすることと
を含む、上記Ｃ１に記載の方法。
［Ｃ３］
前記トラフィックスロットマップは、第２のタイムスロットを識別し、前記第２のタイムスロット中に、第２のデータが第２のデータレートで前記基地局から１つまたは複数のＭ２Ｍデバイスの第２のグループに送信される、上記Ｃ２に記載の方法。
［Ｃ４］
前記トラフィックスロットマップをブロードキャストすることは、
前記第１のデータおよび前記第２のデータの送信が行われる前に前記トラフィックスロットマップをブロードキャストすること
を含む、上記Ｃ３に記載の方法。
［Ｃ５］
前記第１の順方向リンクフレームの前記トラフィックスロットは、前記第１または第２のタイムスロットを含む、上記Ｃ３に記載の方法。
［Ｃ６］
前記第１の順方向リンクフレームの送信の後に第２の順方向リンクフレームを送信すること、ここにおいて、前記第２の順方向リンクフレームはトラフィックスロットを含み、前記トラフィックスロットは前記第１または第２のタイムスロットを含む、
をさらに備える、上記Ｃ３に記載の方法。
［Ｃ７］
前記トラフィックチャネルサイクルは、順方向リンク通信のための第１の時間割振りと、逆方向リンク通信のための第２の時間割振りとを含む、上記Ｃ３に記載の方法。
［Ｃ８］
前記第１のデータを送信することは、
第１の順方向リンクフレームの前記第１のタイムスロット中にポインタを送信することと、ここにおいて、前記ポインタは追加の順方向リンクフレームの追加のタイムスロットを識別する、
前記追加のタイムスロット中に前記第１のデータの少なくとも一部分を送信することと、ここにおいて、前記第１のデータの前記一部分は前記第１のデータレートで送信される、
を含む、上記Ｃ１に記載の方法。
［Ｃ９］
前記トラフィックスロットマップは、前記第１のデータレートで前記第１のデータを受信することを予想しているＭ２Ｍデバイスの第１の数と、前記第２のデータレートで前記第２のデータを受信することを予想しているＭ２Ｍデバイスの第２の数とを識別し、前記第１および第２のデータは、物理レイヤにおいて送信される、上記Ｃ１に記載の方法。
［Ｃ１０］
第１のＭ２Ｍデバイスのための前記第１のタイムスロットを識別するために第１のハッシング関数を使用することと、
第２のＭ２Ｍデバイスのための前記第２のタイムスロットを識別するために第２のハッシング関数を使用することと
をさらに備える、上記Ｃ１に記載の方法。
［Ｃ１１］
前記第１のデータレートは前記第２のデータレートとは異なる、上記Ｃ１に記載の方法。
［Ｃ１２］
前記第１および第２のタイムスロットは、１つまたは複数の順方向リンクフレーム内の１つまたは複数のトラフィックスロットを含む、上記Ｃ１に記載の方法。
［Ｃ１３］
マシンツーマシン（Ｍ２Ｍ）ワイヤレスワイドエリアネットワーク（ＷＡＮ）におけるワイヤレス通信のために構成された基地局であって、
プロセッサと、
前記プロセッサと電子通信しているメモリと、
前記メモリに記憶された命令とを備え、前記命令は、
トラフィックスロットマップを生成することと、ここにおいて、前記トラフィックスロットマップは、１つまたは複数の第１のタイムスロットと１つまたは複数の第２のタイムスロットとを識別し、前記１つまたは複数の第１のタイムスロット中に、第１のデータが第１のデータレートで基地局から１つまたは複数のＭ２Ｍデバイスに送信され、前記１つまたは複数の第２のタイムスロット中に、第２のデータが第２のデータレートで前記基地局から１つまたは複数のＭ２Ｍデバイスに送信される、
複数のＭ２Ｍデバイスに前記トラフィックスロットマップをブロードキャストすることと
を行うために前記プロセッサによって実行可能である、基地局。
［Ｃ１４］
前記トラフィックスロットマップをブロードキャストするための前記命令は、
トラフィックチャネルサイクルの最初にある第１の順方向リンクフレームのトラフィックスロット中に前記トラフィックスロットマップをブロードキャストすること
を行うために前記プロセッサによってさらに実行可能である、上記Ｃ１３に記載の基地局。
［Ｃ１５］
前記トラフィックチャネルサイクルは、順方向リンク通信のための第１の時間割振りと、逆方向リンク通信のための第２の時間割振りとを含む、上記Ｃ１４に記載の基地局。
［Ｃ１６］
前記トラフィックスロットマップは、前記第１のデータレートで前記第１のデータを受信することを予想しているＭ２Ｍデバイスの第１の数と、前記第２のデータレートで前記第２のデータを受信することを予想しているＭ２Ｍデバイスの第２の数とを識別し、前記第１および第２のデータは物理レイヤにおいて送信される、上記Ｃ１３に記載の基地局。
［Ｃ１７］
前記命令は、
第１のＭ２Ｍデバイスのための第１のタイムスロットを識別するために第１のハッシング関数を使用することと、
第２のＭ２Ｍデバイスのための第２のタイムスロットを識別するために第２のハッシング関数を使用することと
を行うために前記プロセッサによってさらに実行可能である、上記Ｃ１３に記載の基地局。
［Ｃ１８］
前記第１のデータレートは前記第２のデータレートとは異なる、上記Ｃ１３に記載の基地局。
［Ｃ１９］
前記１つまたは複数のタイムスロットは、１つまたは複数の順方向リンクフレーム内の１つまたは複数のトラフィックスロットのセットを含む、上記Ｃ１３に記載の基地局。
［Ｃ２０］
マシンツーマシン（Ｍ２Ｍ）ワイヤレスワイドエリアネットワーク（ＷＡＮ）におけるワイヤレス通信のために構成された装置であって、
トラフィックスロットマップを生成するための手段と、ここにおいて、前記トラフィックスロットマップは、１つまたは複数の第１のタイムスロットと１つまたは複数の第２のタイムスロットとを識別し、前記１つまたは複数の第１のタイムスロット中に、第１のデータが第１のデータレートで基地局から１つまたは複数のＭ２Ｍデバイスに送信され、前記１つまたは複数の第２のタイムスロット中に、第２のデータが第２のデータレートで前記基地局から１つまたは複数のＭ２Ｍデバイスに送信される、
複数のＭ２Ｍデバイスに前記トラフィックスロットマップをブロードキャストするための手段と
を備える、装置。
［Ｃ２１］
前記トラフィックスロットマップをブロードキャストするための前記手段は、
トラフィックチャネルサイクルの最初にある第１の順方向リンクフレームのトラフィックスロット中に前記トラフィックスロットマップをブロードキャストするための手段
を含む、上記Ｃ２０に記載の装置。
［Ｃ２２］
前記トラフィックチャネルサイクルは、順方向リンク通信のための第１の時間割振りと、逆方向リンク通信のための第２の時間割振りとを含む、上記Ｃ２１に記載の装置。
［Ｃ２３］
前記トラフィックスロットマップは、前記第１のデータレートで前記第１のデータを受信することを予想しているＭ２Ｍデバイスの第１の数と、前記第２のデータレートで前記第２のデータを受信することを予想しているＭ２Ｍデバイスの第２の数とを識別し、前記第１および第２のデータは物理レイヤにおいて送信される、上記Ｃ２０に記載の装置。
［Ｃ２４］
第１のＭ２Ｍデバイスのための第１のタイムスロットを識別するために第１のハッシング関数を使用するための手段と、
第２のＭ２Ｍデバイスのための第２のタイムスロットを識別するために第２のハッシング関数を使用するための手段と
をさらに備える、上記Ｃ２０に記載の装置。
［Ｃ２５］
前記第１のデータレートは前記第２のデータレートとは異なる、上記Ｃ２０に記載の装置。
［Ｃ２６］
前記１つまたは複数のタイムスロットは、１つまたは複数の順方向リンクフレーム内の１つまたは複数のトラフィックスロットのセットを備える、上記Ｃ２０に記載の装置。
［Ｃ２７］
マシンツーマシン（Ｍ２Ｍ）ワイヤレスワイドエリアネットワーク（ＷＡＮ）においてワイヤレス通信を管理するためのコンピュータプログラム製品であって、前記コンピュータプログラム製品は、
トラフィックスロットマップを生成することと、ここにおいて、前記トラフィックスロットマップは、１つまたは複数の第１のタイムスロットと１つまたは複数の第２のタイムスロットとを識別し、前記１つまたは複数の第１のタイムスロット中に、第１のデータが第１のデータレートで基地局から１つまたは複数のＭ２Ｍデバイスに送信され、前記１つまたは複数の第２のタイムスロット中に、第２のデータが第２のデータレートで前記基地局から１つまたは複数のＭ２Ｍデバイスに送信される、
複数のＭ２Ｍデバイスに前記トラフィックスロットマップをブロードキャストすることと
を行うためにプロセッサによって実行可能な命令を記憶する非一時的コンピュータ可読媒体を備える、コンピュータプログラム製品。
［Ｃ２８］
前記トラフィックスロットマップをブロードキャストするための前記命令は、
トラフィックチャネルサイクルの最初にある第１の順方向リンクフレームのトラフィックスロット中に前記トラフィックスロットマップをブロードキャストすること
を行うために前記プロセッサによってさらに実行可能である、上記Ｃ２７に記載のコンピュータプログラム製品。
［Ｃ２９］
前記トラフィックチャネルサイクルは、順方向リンク通信のための第１の時間割振りと、逆方向リンク通信のための第２の時間割振りとを含む、上記Ｃ２８に記載のコンピュータプログラム製品。
［Ｃ３０］
前記トラフィックスロットマップは、前記第１のデータレートで前記第１のデータを受信することを予想しているＭ２Ｍデバイスの第１の数と、前記第２のデータレートで前記第２のデータを受信することを予想しているＭ２Ｍデバイスの第２の数とを識別し、前記第１および第２のデータは物理レイヤにおいて送信される、上記Ｃ２７に記載のコンピュータプログラム製品。
［Ｃ３１］
前記命令は、
第１のＭ２Ｍデバイスのための第１のタイムスロットを識別するために第１のハッシング関数を使用することと、
第２のＭ２Ｍデバイスのための第２のタイムスロットを識別するために第２のハッシング関数を使用することと
を行うために前記プロセッサによってさらに実行可能である、上記Ｃ２７に記載のコンピュータプログラム製品。
［Ｃ３２］
前記第１のデータレートは前記第２のデータレートとは異なる、上記Ｃ２７に記載のコンピュータプログラム製品。
［Ｃ３３］
前記１つまたは複数のタイムスロットは、１つまたは複数の順方向リンクフレーム内の１つまたは複数のトラフィックスロットのセットを含む、上記Ｃ２７に記載のコンピュータプログラム製品。
［Ｃ３４］
マシンツーマシン（Ｍ２Ｍ）ワイヤレスワイドエリアネットワーク（ＷＡＮ）におけるワイヤレス通信のための方法であって、
トラフィックチャネルサイクルの最初にある第１の順方向リンクフレーム内の第１のトラフィックスロット中にトラフィックスロットマップを受信することと、
第２の順方向リンクフレーム内の第２のトラフィックスロットを識別するために前記トラフィックスロットマップを分析することと、ここにおいて、トラフィックデータが前記第２のトラフィックスロット中に送信される、
前記第２のトラフィックスロットまでスリープ状態に入ることと、
前記第２のトラフィックスロット中に前記トラフィックデータを受信するためにアウェイクモードに入ることと
を備える、方法。
［Ｃ３５］
前記トラフィックスロットマップを分析することは、
第１のデータレートでトラフィックデータを受信することを予想しているＭ２Ｍデバイスの数を決定することと、
第２のデータレートでトラフィックデータを受信することを予想しているＭ２Ｍデバイスの数を決定することと、前記第２のデータレートは前記第１のデータレートとは異なる、
を含む、上記Ｃ３４に記載の方法。
［Ｃ３６］
前記トラフィックスロットマップを分析することは、
トラフィックデータがその間に第１のデータレートで送信される、トラフィックスロットの数を決定するために、第１のハッシング関数を使用することと、
トラフィックデータがその間に第２のデータレートで送信される、トラフィックスロットの数を決定するために、第２のハッシング関数を使用することと、ここにおいて、前記第２のデータレートは前記第１のデータレートとは異なる、
を含む、上記Ｃ３４に記載の方法。
［Ｃ３７］
前記トラフィックデータを受信することは、
前記第２のトラフィックスロット中に送信された前記トラフィックデータを識別するためにデバイス識別子を使用すること
を含む、上記Ｃ３４に記載の方法。
【図１】
0006385952.tif 000002
【図２】
0006385952.tif 000003
【図３Ａ】
0006385952.tif 000004
【図３Ｂ】
0006385952.tif 000005
【図４Ａ】
0006385952.tif 000006
【図４Ｂ】
0006385952.tif 000007
【図５Ａ】
0006385952.tif 000008
【図５Ｂ】
0006385952.tif 000009
【図６】
0006385952.tif 000010
【図７】
0006385952.tif 000011
【図８】
0006385952.tif 000012
【図９】
0006385952.tif 000013
【図１０Ａ】
0006385952.tif 000014
【図１０Ｂ】
0006385952.tif 000015
【図１１】
0006385952.tif 000016
【図１２】
0006385952.tif 000017
【図１３】
0006385952.tif 000018
【図１４】
0006385952.tif 000019
【図１５】
0006385952.tif 000020